(57)【要約】  ベース（３０４）および蓋部（３０５）を有するコンテナ（３０２）が提供される。蓋部は、ヒンジの周りに閉構成から開構成へ回転可能であり得り、また、１つまたは複数のラッチング・アッセンブリ（４００）を介して固定され得る。ラッチング・アッセンブリは、ラッチ本体部（４０２）、ロッキング部材（４３０）、付勢部材（４５０）、および活性化部材（４７０）を含むことが可能である。コンテナの追加的な特徴は、ハンドル（３４０）および強度増加特徴（４１３）を含むことが可能である。また、ベース（３０４）および蓋部（３０５）は、さまざまなアクセサリーのための取り付けポイント（３１９）を特徴とすることが可能である。
2020523258.tif 000002
【特許請求の範囲】
【請求項１】
コンテナであって、前記コンテナは、
成形されたベースと、
ラッチ・アッセンブリと
を含み、前記成形されたベースは、
側壁部構造体であって、前記側壁部構造体は、第１の側部と、前記第１の側部の反対側の第２の側部と、前記第１の側部の縁部と前記第２の側部の縁部との間に延在する第３の側部と、前記第３の側部の反対側の第４の側部とを有しており、前記側壁部構造体は、第１の端部および第２の端部を有している、側壁部構造体と；
前記側壁部構造体の第１の端部に接続されている底部部分であって、前記底部部分は、表面の上に前記コンテナを支持するように構成されている、底部部分と；
前記第１の端部の反対側に、前記側壁部構造体の第２の端部に形成された開口部であって、前記開口部は、前記側壁部構造体および前記底部部分によって形成された前記コンテナの内部空洞へのアクセスを可能にするように構成されている、開口部と；
前記側壁部構造体から延在するラッチ・キーパーであって、前記ラッチ・キーパーは、上側表面、内側表面、および下側表面を有している、ラッチ・キーパーと；
蓋部であって、前記蓋部は、開構成と閉構成との間で枢動可能であり、前記蓋部は、前記ベースの形状に対応する形状を有しており、前記コンテナが前記閉構成にあるときに、前記側壁部構造体の前記第２の端部に形成された前記開口部をカバーするように構成されている、蓋部と；
前記蓋部を前記ベースに接続するように構成されているヒンジであって、前記ヒンジの周りで、前記蓋部は、前記閉構成から前記開構成へ回転可能である、ヒンジと
を含み、
前記ラッチ・アッセンブリは、ロック位置およびアンロック位置を有しており、前記ラッチ・アッセンブリは、
前記蓋部と枢動可能に係合されているラッチ本体部であって、前記ラッチ本体部は、少なくとも１つの係合ラグを有している、ラッチ本体部と；
前記ラッチ本体部とスライド可能に係合されているロッキング部材であって、前記ロッキング部材は、少なくとも下方位置と上方位置との間でスライド可能であり、前記ロッキング部材は、前記ロッキング部材が前記下方位置にあるときには、前記蓋部を前記閉構成にロックするように構成されており、前記ロッキング部材が前記上方位置にあるときには、前記蓋部をアンロックするように構成されている、ロッキング部材と；
前記ラッチ本体部および前記ロッキング部材と係合されている付勢部材であって、前記付勢部材は、前記ロッキング部材を下方位置に付勢する、付勢部材と；
活性化部材であって、前記活性化部材は、前記ラッチ本体部と枢動可能に係合されており、また、前記ロッキング部材と係合されており、前記活性化部材は、前記下方位置から前記上方位置へ前記ロッキング部材を移動させるように構成されている、活性化部材と
を含み、
前記ラッチ・アッセンブリは、前記ロッキング部材が前記上方位置にあるときにのみ、前記アンロック位置から前記ロック位置へ移動させられ得り、
前記ラッチ本体部の前記少なくとも１つの係合ラグは、前記ラッチ・アッセンブリが前記ロック位置にあるときに、ラッチ・キーパーの前記下側表面に係合しており、
前記ロッキング部材のフック部分は、前記ラッチ・アッセンブリが前記ロック位置にあるときに、前記ラッチ・キーパーの前記上側表面に係合している、コンテナ。
【請求項２】
前記蓋部を前記閉構成から前記開構成へ回転させることは、前記蓋部を前記閉構成から９０°回転させることを含む、請求項１に記載のコンテナ。
【請求項３】
前記ラッチ・キーパーは、サポート・リブをさらに含み、前記サポート・リブは、前記ベースの外部表面から前記ラッチ・キーパーの前記内側表面へ延在している、請求項１に記載のコンテナ。
【請求項４】
前記サポート・リブは、前記ラッチ・キーパーの前記上側表面に対して中央に位置付けされている、請求項３に記載のコンテナ。
【請求項５】
前記ロッキング部材は、少なくとも２つのフック部分を含み、前記ラッチ・アッセンブリが前記ロック位置にあるときには、前記サポート・リブは、前記ロッキング部材の前記少なくとも２つのフック部分の間に位置決めされている、請求項４に記載のコンテナ。
【請求項６】
前記ベースは、前記ラッチ・キーパーに隣接して少なくとも１つのランプ付きの表面を含み、前記ランプ付きの表面が、前記ベースのインターフェース表面から離れるように所定の角度で下向きに延在するようになっている、請求項１に記載のコンテナ。
【請求項７】
前記少なくとも１つのランプ付きの表面は、前記ベースの前記インターフェース表面に対して、３０度から６０度の間の角度を形成している、請求項６に記載のコンテナ。
【請求項８】
前記コンテナは、ガスケットをさらに含み、前記ガスケットは、前記ベースおよび前記蓋部のうちの少なくとも１つの中に形成された凹部の中に配置されている、請求項１に記載のコンテナ。
【請求項９】
前記ベースは、前記コンテナのそれぞれの側部の上にハンドルをさらに含む、請求項１に記載のコンテナ。
【請求項１０】
前記ハンドルは、前記ベースと一体的に成形されている、請求項９に記載のコンテナ。
【請求項１１】
前記ハンドルは、前記ハンドルの外部表面の下に、湾曲したプロファイルを有しており、前記湾曲したプロファイルは、前記側壁部構造体から前記ハンドルの内部表面へ延在する複数のリブによって形成されている、請求項１０に記載のコンテナ。
【請求項１２】
コンテナであって、前記コンテナは、
ベースと、
ラッチ・アッセンブリと
を含み、前記ベースは、
側壁部構造体であって、前記側壁部構造体は、少なくとも、第１の側部と、前記第１の側部の反対側の第２の側部とを有しており、前記側壁部構造体は、第１の端部および第２の端部を有している、側壁部構造体と；
前記側壁部構造体の第１の端部に接続されている底部部分であって、前記底部部分は、表面の上に前記コンテナを支持するように構成されている、底部部分と；
前記第１の端部の反対側に、前記側壁部構造体の第２の端部に形成された開口部であって、前記開口部は、前記側壁部構造体および前記底部部分によって形成された前記コンテナの内部空洞へのアクセスを可能にするように構成されている、開口部と；
前記側壁部構造体から延在するラッチ・キーパーであって、前記ラッチ・キーパーは、上側表面、内側表面、および下側表面を有している、ラッチ・キーパーと；
蓋部であって、前記蓋部は、開構成と閉構成との間で枢動可能であり、前記蓋部は、前記ベースの形状に対応する形状を有しており、前記コンテナが前記閉構成にあるときに、前記側壁部構造体の前記第２の端部に形成された前記開口部をカバーするように構成されている、蓋部と；
前記蓋部を前記ベースに接続するように構成されているヒンジであって、前記ヒンジの周りで、前記蓋部は、前記閉構成から前記開構成へ回転可能である、ヒンジと
を含み、
前記ラッチ・アッセンブリは、ロック位置およびアンロック位置を有しており、前記ラッチ・アッセンブリは、
前記蓋部と枢動可能に係合されているラッチ本体部であって、前記ラッチ本体部は、少なくとも１つの係合ラグを有している、ラッチ本体部と；
前記ラッチ本体部と係合されているロッキング部材であって、前記ロッキング部材は、少なくとも下方位置と上方位置との間で移動可能であり、前記ロッキング部材は、前記ロッキング部材が前記下方位置にあるときには、前記蓋部を前記閉構成にロックするように構成されており、前記ロッキング部材が前記上方位置にあるときには、前記蓋部をアンロックするように構成されている、ロッキング部材と；
前記ラッチ本体部および前記ロッキング部材と係合されている付勢部材であって、前記付勢部材は、前記ロッキング部材を下方位置に付勢する、付勢部材と；
活性化部材であって、前記活性化部材は、前記ラッチ本体部と枢動可能に係合されており、また、前記ロッキング部材と係合されており、前記活性化部材は、前記下方位置から前記上方位置へ前記ロッキング部材を移動させるように構成されている、活性化部材と
を含む、コンテナ。
【請求項１３】
前記ベースは、前記内部空洞の内部表面に沿って位置決めされている複数のタブを含む、前記請求項１２に記載のコンテナ。
【請求項１４】
前記複数のタブのそれぞれのタブは、上側サポート表面および開口部を含む、前記請求項１３に記載のコンテナ。
【請求項１５】
それぞれのタブの前記開口部は、細長い形状を有している、前記請求項１４に記載のコンテナ。
【請求項１６】
前記上側サポート表面は、前記ベースの前記内部空洞の上側領域の中に位置付けされている、前記請求項１５に記載のコンテナ。
【請求項１７】
前記複数のタブは、前記内部空洞の高さの５０パーセントより大きい高さに位置決めされている、前記請求項１３に記載のコンテナ。
【請求項１８】
１対のトラックが、少なくとも１つの側壁部の少なくとも内部表面の上に位置決めされている、前記請求項１２に記載のコンテナ。
【請求項１９】
前記１対のトラックは、少なくとも２つの側壁部の少なくとも内部表面の上に位置決めされている、前記請求項１８に記載のコンテナ。
【請求項２０】
前記蓋部は、前記蓋部の内部表面に沿って位置決めされている複数のクリップを含み、それぞれのクリップは、係合部材および細長い開口部を含む、前記請求項１２に記載のコンテナ。
【請求項２１】
前記蓋部は、前記蓋部の内部表面に沿って位置決めされている複数のクリップを含み、それぞれのクリップは、係合部材および細長い開口部を含み、前記複数のタブのそれぞれのタブの前記細長い開口部は、それぞれのクリップの前記細長い開口部と実質的に同じ幅を有している、前記請求項１３に記載のコンテナ。
【請求項２２】
前記コンテナは、ガスケットをさらに含み、前記ガスケットは、前記ベースおよび前記蓋部のうちの少なくとも１つの中に形成された凹部の中に配置されている、前記請求項１２に記載のコンテナ。
【請求項２３】
前記コンテナは、前記ベースの外部表面と一体的に成形されたチャネルをさらに含み、前記チャネルは、前記ベースの外部表面全体の周りに延在している、前記請求項１２に記載のコンテナ。
【請求項２４】
コンテナであって、前記コンテナは、
ベースと、
ラッチ・アッセンブリと
を含み、前記ベースは、
側壁部構造体であって、前記側壁部構造体は、少なくとも、第１の側部と、前記第１の側部の反対側の第２の側部とを有しており、前記側壁部構造体は、第１の端部および第２の端部を有している、側壁部構造体と；
前記側壁部構造体の第１の端部に接続されている底部部分であって、前記底部部分は、表面の上に前記コンテナを支持するように構成されている、底部部分と；
前記第１の端部の反対側に、前記側壁部構造体の第２の端部に形成された開口部であって、前記開口部は、前記側壁部構造体および前記底部部分によって形成された前記コンテナの内部空洞へのアクセスを可能にするように構成されている、開口部と；
蓋部であって、前記蓋部は、開構成と閉構成との間で枢動可能であり、前記蓋部は、前記ベースの形状に対応する形状を有しており、前記コンテナが前記閉構成にあるときに、前記側壁部構造体の前記第２の端部に形成された前記開口部をカバーするように構成されている、蓋部と
を含み、
前記ラッチ・アッセンブリは、ロック位置およびアンロック位置を有しており、前記ラッチ・アッセンブリは、
前記蓋部と枢動可能に係合されているラッチ本体部と；
前記ラッチ本体部と係合されているロッキング部材であって、前記ロッキング部材は、少なくとも下方位置と上方位置との間で移動可能であり、前記ロッキング部材は、前記ロッキング部材が前記下方位置にあるときには、前記蓋部を前記閉構成にロックするように構成されており、前記ロッキング部材が前記上方位置にあるときには、前記蓋部をアンロックするように構成されている、ロッキング部材と；
活性化部材であって、前記活性化部材は、前記ラッチ本体部と枢動可能に係合されており、また、前記ロッキング部材と係合されており、前記活性化部材は、前記下方位置から前記上方位置へ前記ロッキング部材を移動させるように構成されている、活性化部材と
を含む、コンテナ。
【請求項２５】
前記コンテナは、前記ラッチ本体部および前記ロッキング部材と係合されている付勢部材をさらに含み、前記付勢部材は、前記ロッキング部材を下方位置に付勢する、請求項２４に記載のコンテナ。
【請求項２６】
前記ロッキング部材は、前記ラッチ本体部とスライド可能に係合されており、前記ロッキング部材は、前記下方位置と前記上方位置との間でスライド可能である、請求項２４に記載のコンテナ。
【請求項２７】
前記ラッチ・アッセンブリは、前記ロッキング部材が前記上方位置にあるときにのみ、前記アンロック位置から前記ロック位置へ移動させられ得る、請求項２４に記載のコンテナ。
【請求項２８】
前記ラッチ本体部は、少なくとも１つの係合ラグを含み、前記ベースは、ラッチ・キーパーを含み、前記ラッチ・キーパーは、上側表面、内側表面、および下側表面を含み、
前記ラッチ本体部の前記少なくとも１つの係合ラグは、前記ラッチ・アッセンブリが前記ロック位置にあるときに、ラッチ・キーパーの前記下側表面に係合しており、
前記ロッキング部材のフック部分の下側表面は、前記ラッチ・アッセンブリが前記ロック位置にあるときに、前記ラッチ・キーパーの前記上側表面に係合している、請求項２４に記載のコンテナ。
【発明の詳細な説明】
【技術分野】
【０００１】
関連出願との相互参照
本出願は、２０１８年６月１２日に出願された米国非仮特許出願第１６／００６，３４４号明細書、および、２０１７年６月１２日に出願された米国仮特許出願第６２／５１８，３５８号明細書の優先権を主張する。上記に参照された出願は、その全体が参照により組み込まれている。
【背景技術】
【０００２】
さまざまなタイプのコンテナおよびラッチング・システムが存在している。コンテナは、食料、飲料、および他の材料、またはアイテムのために使用され得る。ラッチング・システムは、コンテナを閉構成にロックするために存在している。しかし、従来のコンテナおよびラッチング・システムは、あまり耐久性がないことが多く、使用しやすくない可能性がある。たとえば、コンテナは、特定のアイテムを保持するには十分に強力ではない可能性があり、コンテナの上にアイテムを保持するのに十分に強力ではない可能性がある。追加的に、いくつかのラッチング・システムは、システムが係合されることをユーザーが希望しないときに係合する可能性があり、他のケースでは、コンテナのために十分なロックを提供しない可能性がある。そのような配置では、これらのおよび他の欠点は、コンテナおよび／またはラッチング・システムを事実上役に立たないものにする可能性がある。
【発明の概要】
【０００３】
本概要は、簡単化された形態で概念の選択を導入するために提供されており、それらは、詳細な説明においてさらに下記に説明されている。本概要は、特許請求されている主題の重要な特徴または本質的な特徴を識別することは意図しておらず、また、特許請求されている主題の範囲を限定するために使用されることも意図していない。
【０００４】
１つの態様によれば、コンテナが開示されている。コンテナは、成形されたベースを含むことが可能であり、成形されたベースは、側壁部構造体であって、側壁部構造体は、第１の側部と、第１の側部の反対側の第２の側部と、第１の側部の縁部と第２の側部の縁部との間に延在する第３の側部と、第３の側部の反対側の第４の側部とを有しており、側壁部構造体は、第１の端部および第２の端部を有している、側壁部構造体と；側壁部構造体の第１の端部に接続されている底部部分であって、底部部分は、表面の上にコンテナを支持するように構成されている、底部部分と；第１の端部の反対側に、側壁部構造体の第２の端部に形成された開口部であって、開口部は、側壁部構造体および底部部分によって形成されたコンテナの内部空洞へのアクセスを可能にするように構成されている、開口部とを含む。ベースは、側壁部構造体から延在するラッチ・キーパーをさらに含むことが可能であり、ラッチ・キーパーは、上側表面、内側表面、および下側表面を有している。また、コンテナは、蓋部を含むことが可能であり、蓋部は、開構成と閉構成との間で枢動可能であり、蓋部は、ベースの形状に対応する形状を有しており、コンテナが閉構成にあるときに、側壁部構造体の第２の端部に形成された開口部をカバーするように構成されている。ヒンジは、蓋部をベースに接続するように構成され得り、蓋部は、閉構成から開構成へ回転可能である。コンテナは、ラッチ・アッセンブリをさらに含むことが可能であり、ラッチ・アッセンブリは、ロック位置およびアンロック位置を有している。
【０００５】
ラッチ・アッセンブリは、ラッチ本体部を含むことが可能であり、ラッチ本体部は、蓋部と枢動可能に係合されており、ラッチ本体部は、少なくとも１つの係合ラグを有している。ラッチ・アッセンブリは、ロッキング部材をさらに含むことが可能であり、ロッキング部材は、ラッチ本体部とスライド可能に係合されており、ロッキング部材は、少なくとも下方位置と上方位置との間でスライド可能である。ロッキング部材は、ロッキング部材が下方位置にあるときには、蓋部を閉構成にロックするように構成され得り、ロッキング部材が上方位置にあるときには、蓋部をアンロックするように構成され得る。さらに、ラッチ・アッセンブリは、ラッチ本体部およびロッキング部材と係合されている付勢部材であって、付勢部材は、ロッキング部材を下方位置に付勢する、付勢部材と；活性化部材であって、活性化部材は、ラッチ本体部と枢動可能に係合されており、また、ロッキング部材と係合されており、活性化部材は、下方位置から上方位置へロッキング部材を移動させるように構成されている、活性化部材とをさらに含む。ラッチ・アッセンブリは、ロッキング部材が上方位置にあるときにのみ、アンロック位置からロック位置へ移動させられ得る。ラッチ・アッセンブリの別の態様は、ラッチ本体部の少なくとも１つの係合ラグは、ラッチ・アッセンブリがロック位置にあるときに、ラッチ・キーパーの下側表面に係合させられ得るということ、および、ロッキング部材のフック部分は、ラッチ・アッセンブリがロック位置にあるときに、ラッチ・キーパーの上側表面に係合することが可能であるということである。
【０００６】
本開示の他の態様は、コンテナの蓋部が閉構成から開構成へ回転させられるということは、蓋部を閉構成から９０度回転させることを含むことが可能であるということに関することが可能である。加えて、ラッチ・キーパーは、サポート・リブをさらに含むことが可能であり、サポート・リブは、ベースの外部表面からラッチ・キーパーの内側表面へ延在しており、サポート・リブは、ラッチ・キーパーの上側表面に対して中央に位置付けされ得る。ロッキング部材は、少なくとも２つのフック部分をさらに含むことが可能であり、ラッチ・アッセンブリがロック位置にあるときには、サポート・リブが、ロッキング部材の少なくとも２つのフック部分の間に位置決めされるようになっている。ベースは、ラッチ・キーパーに隣接して少なくとも１つのランプ付きの表面を含むことが可能であり、ランプ付きの表面が、ベースのインターフェース表面から離れるように所定の角度で下向きに延在するようになっている。少なくとも１つのランプ付きの表面は、ベースのインターフェース表面に対して、３０度から６０度の間の角度を形成している。ガスケットが、ベースおよび蓋部のうちの少なくとも１つの中に形成された凹部の中に配置され得る。別の特徴として、ベースは、コンテナの側部のそれぞれの上にハンドルをさらに含むことが可能であり、それぞれのハンドルは、ベースと一体的に成形されている。ハンドルは、ハンドルの外部表面の下に、湾曲したプロファイルを有することが可能であり、湾曲したプロファイルは、側壁部構造体の側部のうちの１つからハンドルの内部表面へ延在する複数のリブによって形成されている。
【０００７】
本開示の他の態様は、コンテナに関することが可能であり、コンテナは、であって、側壁部構造体であって、側壁部構造体は、少なくとも、第１の側部と、第１の側部の反対側の第２の側部とを有しており、側壁部構造体は、第１の端部および第２の端部を有している、側壁部構造体と；側壁部構造体の第１の端部に接続されている底部部分であって、底部部分は、表面の上にコンテナを支持するように構成されている、底部部分と；第１の端部の反対側に、側壁部構造体の第２の端部に形成された開口部であって、開口部は、側壁部構造体および底部部分によって形成されたコンテナの内部空洞へのアクセスを可能にするように構成されている、開口部とを含む。また、ベースは、側壁部構造体から延在するラッチ・キーパーを含むことが可能であり、ラッチ・キーパーは、上側表面、内側表面、および下側表面を有している。また、コンテナは、蓋部を含むことが可能であり、蓋部は、開構成と閉構成との間で枢動可能であり、蓋部は、ベースの形状に対応する形状を有しており、コンテナが閉構成にあるときに、側壁部構造体の第２の端部に形成された開口部をカバーするように構成されている。ヒンジは、蓋部をベースに接続するように構成され得り、ヒンジの周りで、蓋部は、閉構成から開構成へ回転可能であり、ラッチ・アッセンブリは、ロック位置およびアンロック位置を有している。ラッチ・アッセンブリは、蓋部と枢動可能に係合されているラッチ本体部であって、ラッチ本体部は、少なくとも１つの係合ラグを有している、ラッチ本体部と；ラッチ本体部と係合されているロッキング部材であって、ロッキング部材は、下方位置と上方位置との間で移動可能である、ロッキング部材とを含むことが可能である。ロッキング部材は、ロッキング部材が下方位置にあるときには、蓋部を閉構成にロックするように構成され得り、ロッキング部材が上方位置にあるときには、蓋部をアンロックするように構成され得る。また、ラッチ・アッセンブリは、ラッチ本体部およびロッキング部材と係合されている付勢部材であって、付勢部材は、ロッキング部材を下方位置に付勢する、付勢部材と；活性化部材であって、活性化部材は、ラッチ本体部と枢動可能に係合されており、また、ロッキング部材と係合されており、活性化部材は、下方位置から上方位置へロッキング部材を移動させるように構成されている、活性化部材とを有することが可能である。
【０００８】
本開示の追加的な態様は、コンテナのベース部分に関することが可能であり、ベース部分は、内部空洞の内部表面に沿って位置決めされている複数のタブを含む。複数のタブのそれぞれのタブは、内部表面のうちの１つから延在することが可能であり、上側サポート表面および開口部を含み、それぞれのタブの開口部は、細長い形状を有している。上側サポート表面は、ベースの内部空洞の上側領域の中に位置付けされ得り、または、内部空洞の高さの５０パーセントより大きい高さに位置決めされ得る。加えて、ベースは、１対のトラックを含むことが可能であり、１対のトラックは、少なくとも１つの側壁部の少なくとも内部表面の上に位置決めされており、１対のトラックは、少なくとも２つの側壁部の少なくとも内部表面の上に位置決めされている。同様に、蓋部は、蓋部の内部表面に沿って位置決めされている複数のクリップを含むことが可能であり、それぞれのクリップは、係合部材および細長い開口部を含み、複数のタブのそれぞれのタブの細長い開口部は、それぞれのクリップの細長い開口部と実質的に同じ幅を有することが可能である。また、コンテナは、ガスケットと、ベースの外部表面と一体的に成形されたチャネルとを有することが可能であり、ガスケットは、ベースおよび蓋部のうちの少なくとも１つの中に形成された凹部の中に配置されており、チャネルは、ベースの外部表面全体の周りに延在している。
【０００９】
本示のさらなる他の態様は、コンテナに関することが可能であり、コンテナは、ベースを含み、ベースは、側壁部構造体であって、側壁部構造体は、少なくとも、第１の側部と、第１の側部の反対側の第２の側部とを有しており、側壁部構造体は、第１の端部および第２の端部を備えている、側壁部構造体と；側壁部構造体の第１の端部に接続されている底部部分であって、底部部分は、表面の上にコンテナを支持するように構成されている、底部部分と；第１の端部の反対側に、側壁部構造体の第２の端部に形成された開口部であって、開口部は、側壁部構造体および底部部分によって形成されたコンテナの内部空洞へのアクセスを可能にする、開口部とを有している。また、コンテナは、蓋部を有することが可能であり、蓋部は、開構成と閉構成との間で枢動可能であり、蓋部は、ベースの形状に対応する形状を有しており、コンテナが閉構成にあるときに、側壁部構造体の第２の端部に形成された開口部をカバーするように構成されている。また、コンテナは、ラッチ・アッセンブリを含むことが可能であり、ラッチ・アッセンブリは、ロック位置およびアンロック位置を有しており、ラッチ・アッセンブリは、蓋部と枢動可能に係合されているラッチ本体部と、ラッチ本体部と係合されているロッキング部材とを含み、ロッキング部材は、下方位置と上方位置との間で移動可能である。ロッキング部材は、ロッキング部材が下方位置にあるときには、蓋部を閉構成にロックするように構成されており、ロッキング部材が上方位置にあるときには、蓋部をアンロックするように構成されている。活性化部材は、ラッチ本体部と枢動可能に係合され得り、また、ロッキング部材と係合され得り、活性化部材は、下方位置から上方位置へロッキング部材を移動させる。
【００１０】
本開示の中に説明されているコンテナの他の態様は、ラッチ・アッセンブリを含むことが可能であり、ラッチ・アッセンブリは、ラッチ本体部およびロッキング部材と係合されている付勢部材を有しており、付勢部材は、ロッキング部材を下方位置に付勢する。ロッキング部材は、下方位置と上方位置との間でスライド可能であり得り、ラッチ・アッセンブリは、ロッキング部材が上方位置にあるときにのみ、アンロック位置からロック位置へ移動させられ得る。ラッチ本体部は、内側表面および少なくとも１つの係合ラグを含むことが可能であり、ベースは、ラッチ・キーパーを含み、ラッチ・キーパーは、上側表面、内側表面、および下側表面を含む。ラッチ本体部の少なくとも１つの係合ラグは、ラッチ・アッセンブリがロック位置にあるときに、ラッチ・キーパーの下側表面に係合することが可能であり、ロッキング部材のフック部分の下側表面は、ラッチ・アッセンブリがロック位置にあるときに、ラッチ・キーパーの上側表面に係合している。
【００１１】
この概要は、簡単化された形態で概念の選択を導入するために提供されており、それは、詳細な説明の中でさらに下記に説明されている。本概要は、特許請求されている主題の重要な特徴または本質的な特徴を識別することは意図しておらず、また、特許請求されている主題の範囲を限定するために使用されることも意図していない。
【図面の簡単な説明】
【００１２】
本発明は、例として図示されており、添付の図の中で限定されていない。添付の図において、同様の参照番号は、同様のエレメントを示している。
【００１３】
【図１Ａ】本明細書で説明されている１つまたは複数の態様によるコンテナの上部斜視図である。
【図１Ｂ】本明細書で説明されている１つまたは複数の態様による、蓋部が開位置にある状態の、図１Ａのコンテナの上部斜視図である。
【図２Ａ】本明細書で説明されている１つまたは複数の態様による図１Ａのコンテナの底面斜視図である。
【図２Ｂ】本明細書で説明されている１つまたは複数の態様による図１Ａのコンテナの側断面図である。
【図３】本明細書で説明されている１つまたは複数の態様による図１Ａのコンテナのベース部分の上部斜視図である。
【図４Ａ】本明細書で説明されている１つまたは複数の態様による図１Ａのコンテナのベース部分の一部分の底面斜視図である。
【図４Ｂ】本明細書で説明されている１つまたは複数の態様による図１Ａのコンテナのハンドルの上部斜視図である。
【図４Ｃ】本明細書で説明されている１つまたは複数の態様によるハンドルの部分の上部斜視図である。
【図４Ｄ】本明細書で説明されている１つまたは複数の態様によるハンドルおよびコンテナの一部分の側断面図である。
【図５Ａ】本明細書で説明されている１つまたは複数の態様による図１Ａのコンテナの蓋部の一部分の上部斜視図である。
【図５Ｂ】本明細書で説明されている１つまたは複数の態様による図１Ａのコンテナのベース部分の一部分の上部斜視図である。
【図６Ａ】本明細書で説明されている１つまたは複数の態様によるラッチ・アッセンブリの底部後方斜視図である。
【図６Ｂ】本明細書で説明されている１つまたは複数の態様によるラッチ・アッセンブリの上部後方斜視図である。
【図７Ａ】本明細書で説明されている１つまたは複数の態様によるラッチ・アッセンブリの上部正面斜視図である。
【図７Ｂ】本明細書で説明されている１つまたは複数の態様によるラッチ・アッセンブリの底部正面斜視図である。
【図８】本明細書で説明されている１つまたは複数の態様によるラッチ・アッセンブリの後方斜視図である。
【図９】本明細書で説明されている１つまたは複数の態様によるラッチ・アッセンブリの側断面図である。
【図１０Ａ】本明細書で説明されている１つまたは複数の態様による、ロック位置からアンロック位置へのラッチ・アッセンブリの移動の側断面図である。
【図１０Ｂ】本明細書で説明されている１つまたは複数の態様による、ロック位置からアンロック位置へのラッチ・アッセンブリの移動の側断面図である。
【図１０Ｃ】本明細書で説明されている１つまたは複数の態様による、ロック位置からアンロック位置へのラッチ・アッセンブリの移動の側断面図である。
【図１０Ｄ】本明細書で説明されている１つまたは複数の態様による、ロック位置からアンロック位置へのラッチ・アッセンブリの移動の側断面図である。
【図１１Ａ】本明細書で説明されている１つまたは複数の態様による、アンロック位置からロック位置への図１０Ａ〜図１０Ｄのラッチ・アッセンブリの移動の側断面図である。
【図１１Ｂ】本明細書で説明されている１つまたは複数の態様による、アンロック位置からロック位置への図１０Ａ〜図１０Ｄのラッチ・アッセンブリの移動の側断面図である。
【図１１Ｃ】本明細書で説明されている１つまたは複数の態様による、アンロック位置からロック位置への図１０Ａ〜図１０Ｄのラッチ・アッセンブリの移動の側断面図である。
【図１２Ａ】本明細書で説明されている１つまたは複数の態様による、ロック位置からアンロック位置へのラッチ・アッセンブリの移動の側断面図である。
【図１２Ｂ】本明細書で説明されている１つまたは複数の態様による、ロック位置からアンロック位置へのラッチ・アッセンブリの移動の側断面図である。
【図１２Ｃ】本明細書で説明されている１つまたは複数の態様による、ロック位置からアンロック位置へのラッチ・アッセンブリの移動の側断面図である。
【図１３Ａ】本明細書で説明されている１つまたは複数の態様による、アンロック位置からロック位置への図１３Ａ〜図１３Ｃのラッチ・アッセンブリの移動の側断面図である。
【図１３Ｂ】本明細書で説明されている１つまたは複数の態様による、アンロック位置からロック位置への図１３Ａ〜図１３Ｃのラッチ・アッセンブリの移動の側断面図である。
【図１３Ｃ】本明細書で説明されている１つまたは複数の態様による、アンロック位置からロック位置への図１３Ａ〜図１３Ｃのラッチ・アッセンブリの移動の側断面図である。
【図１４】本明細書で説明されている１つまたは複数の態様によるコンテナの上部斜視図である。
【図１５】本明細書で説明されている１つまたは複数の態様による図１４のコンテナの側断面図である。
【図１６Ａ】本明細書で説明されている１つまたは複数の態様による図１４のコンテナの側断面図である。
【図１６Ｂ】本明細書で説明されている１つまたは複数の態様による図１６Ａに示されているコンテナの一部分の拡大図である。
【図１７Ａ】本明細書で説明されている１つまたは複数の態様による、蓋部が閉位置にある状態の図１のコンテナの代替的な実施形態の上部斜視図である。
【図１７Ｂ】本明細書で説明されている１つまたは複数の態様による、蓋部が開位置にある状態の図１７Ａのコンテナの上部斜視図である。
【図１８Ａ】本明細書で説明されている１つまたは複数の態様による、蓋部が閉位置にある状態の図１７Ａのコンテナの正面図である。
【図１８Ｂ】本明細書で説明されている１つまたは複数の態様による、蓋部が閉位置にある状態の図１７Ａのコンテナの背面図である。
【図１８Ｃ】本明細書で説明されている１つまたは複数の態様による、蓋部が閉位置にある図１７Ａのコンテナの上面図である。
【図１８Ｄ】本明細書で説明されている１つまたは複数の態様による、蓋部が閉位置にある図１７Ａのコンテナの底面図である。
【図１８Ｅ】閉位置本明細書で説明されている１つまたは複数の態様による、蓋部が閉位置にある図１７Ａのコンテナの左側面図である。
【図１８Ｆ】閉位置本明細書で説明されている１つまたは複数の態様による、蓋部が閉位置にある図１７Ａのコンテナの右側面図である。
【図１９Ａ】本明細書で説明されている１つまたは複数の態様による、蓋部が除去された状態の図１７Ａのコンテナのベース部分の上面図である。
【図１９Ｂ】本明細書で説明されている１つまたは複数の態様による、図１９Ａに示されているコンテナのベース部分の拡大図である。
【図２０Ａ】本明細書で説明されている１つまたは複数の態様による、ラッチ・アッセンブリの代替的な実施形態の底部後方斜視図である。
【図２０Ｂ】本明細書で説明されている１つまたは複数の態様による、ロック位置にある図２０Ａのラッチ・アッセンブリの代替的な実施形態の部分的な断面図である。
【図２０Ｃ】本明細書で説明されている１つまたは複数の態様による、ロック位置にある図２０Ａのラッチ・アッセンブリの代替的な実施形態の部分的な断面図である。
【図２１】本明細書で説明されている１つまたは複数の態様による、アンロック位置にある図２０Ａのラッチ・アッセンブリの部分的な断面図である。
【図２２Ａ】本明細書で説明されている１つまたは複数の態様による、図１７Ａのコンテナの側断面図である。
【図２２Ｂ】本明細書で説明されている１つまたは複数の態様による、図１７Ａのコンテナのハンドルを通る拡大側断面図である。
【図２２Ｃ】本明細書で説明されている１つまたは複数の態様による、図１７Ａのコンテナのハンドルの底面斜視図の部分図である。
【図２３Ａ】本明細書で説明されている１つまたは複数の態様による、図１７Ａのコンテナのベース部分の部分的な上部斜視図である。
【図２３Ｂ】本明細書で説明されている１つまたは複数の態様による、図１７Ａのコンテナのベース部分を図示する図２３Ａの部分的な上部斜視図の部分的な断面図である。
【図２４Ａ】本明細書で説明されている１つまたは複数の態様による、図１７Ａのコンテナの蓋部の内部の上部斜視図である。
【図２４Ｂ】本明細書で説明されている１つまたは複数の態様による、図１７Ａのコンテナの蓋部の一部分を図示する図２４Ａの上部斜視図の拡大図である。
【図２５】本明細書で説明されている１つまたは複数の態様による、図１７Ａのコンテナの側面図である。
【図２６Ａ】本明細書で説明されている１つまたは複数の態様による、さまざまなアクセサリーが据え付けられた状態の、開位置にある図１７Ａのコンテナの上部斜視図である。
【図２６Ｂ】本明細書で説明されている１つまたは複数の態様による、さまざまなアクセサリーが据え付けられた状態の、開位置にある図１７Ａのコンテナの上部斜視図である。
【図２６Ｃ】本明細書で説明されている１つまたは複数の態様による、さまざまなアクセサリーが据え付けられた状態の、開位置にある図１７Ａのコンテナの上部斜視図である。
【図２６Ｄ】本明細書で説明されている１つまたは複数の態様による、さまざまなアクセサリーが据え付けられた状態の、開位置にある図１７Ａのコンテナの上部斜視図である。
【図２７Ａ】本明細書で説明されている１つまたは複数の態様による、図１７Ａのコンテナのためのアクセサリーの上部斜視図である。
【図２７Ｂ】本明細書で説明されている１つまたは複数の態様による、図２７Ａのアクセサリーの側断面図である。
【発明を実施するための形態】
【００１４】
さらに、図面は、単一の実施形態の異なるコンポーネントのスケールを表している可能性があるが、しかし、開示されている実施形態は、その特定のスケールに限定されないということが理解されるべきである。
【００１５】
本発明によるさまざまな例示的な構造体の以下の説明において、添付の図面が参照されており、図面は、説明の一部を形成しており、図面には、本発明の態様が実践され得るさまざまな例示的なデバイス、システム、および環境が、図示として示されている。他のパーツの特定の配置、例示的なデバイス、システム、および環境が利用され得り、構造的なおよび機能的な修正が、本発明の範囲から逸脱することなく行われ得るということが理解されるべきである。また、「上部」、「底部」、「正面」、「裏面」、「サイド」、および「後方」などのような用語は、本発明のさまざまな例示的な特徴およびエレメントを説明するために、この明細書の中で使用されている可能性があるが、これらの用語は、たとえば、図に示されている例示的な配向、または、典型的な使用の間の配向に基づいて、便宜上、本明細書において使用されている。追加的に、本明細書で使用されているように、「複数の」という用語は、論理和的または論理積的のいずれかで、必要に応じて、無限数までの１つよりも大きい任意の数を示している。本明細書の中のいずれも、本発明の範囲の中に入るために、構造体の特定の３次元の配向を必要とするものとして解釈されるべきではない。また、読者は、添付された図面は必ずしも正しい縮尺で描かれているわけではないということを知らされる。
【００１６】
一般的に、本発明の態様は、コンテナ、および、コンテナのためのラッチング・アッセンブリに関する。さまざまな態様および実施形態によれば、本明細書で説明されているコンテナおよびラッチング・アッセンブリは、金属（金属合金を含む）、ポリマー、および複合材などのような、さまざまな材料のうちの１つまたは複数から形成され得り、本発明の範囲を逸脱することなく、さまざまな構成のうちの１の中に形成され得る。コンテナおよびラッチング・アッセンブリは、いくつかの異なる材料から作製されたコンポーネントを含有することが可能であるということが理解される。追加的に、コンポーネントは、さまざまな形成方法によって形成され得る。たとえば、金属コンポーネントは、フォージング、成形、キャスティング、スタンピング、機械加工、および／または、他の公知の技法によって形成され得る。追加的に、エラストマーなどのようなポリマー・コンポーネントは、さまざまな成形およびキャスティング技法などのようなポリマー加工技法、ならびに／または他の公知の技法によって製造され得る。
【００１７】
本願の中のさまざまな図は、本発明によるコンテナおよびラッチング・アッセンブリの例を図示している。同じ参照数字が２つ以上の図面の中に出現するときには、その参照数字は、この明細書の中で一貫して使用されており、図面は、全体を通して同じまたは同様のパーツを表している。
【００１８】
図１Ａ、図１Ｂ、および図２Ａは、コンテナ２の斜視図を示している。１つの例では、コンテナ２は、ベース部分４および蓋部５を含むことが可能であり、蓋部５は、いくつかの例では、ベース部分４に連結され得り、または、いくつかの例では、ベース部分４に非破壊的に除去可能に連結され得る。ベース部分４は、本明細書でより完全に議論されることとなるように、物品を含有するための空洞を形成する構造体であることが可能である。いくつかの例では、ベース部分４は、形状が立方体状または実質的に立方体状になっていることが可能である。他の例では、ベース部分４は、形状が角柱状または実質的に角柱状（たとえば、五角柱、六角柱、または七角柱など）になっていることが可能である。さらに他の例では、ベース部分４は、形状が実質的に円筒形状になっているか、または、実質的に台形の断面を有することが可能である。さまざまな他の形状が、本発明から逸脱することなく使用され得る。
【００１９】
ベース部分４は、側壁部構造体６を含むことが可能であり、側壁部構造体６は、第１の側部８と、第１の側部の反対側の第２の側部１０と、第１の側部の縁部と第２の側部の縁部との間に延在する第３の側部１２と、第３の側部の反対側の第４の側部１４とを有している。また、側壁部構造体６は、第１の端部１６および第２の端部１８を有することが可能である。また、側壁部構造体６は、底部部分２０を含むことが可能であり、底部部分２０は、側壁部構造体６の第１の端部１６に接続されており、テーブル、地面、または車両ベッドなどのような、表面の上にコンテナを支持するように構成されている。いくつかの実施形態では、底部部分２０は、また、および／または代替的に、１つまたは複数の足部２２を含むことが可能であり、１つまたは複数の足部２２は、テーブル、地面、または車両ベッドなどのような、表面の上にコンテナ２を支持することが可能である。足部２２は、ベース４と一体的に形成され得るか、または、ベースが形成された後に、ベース４に取り付けられ得る。
【００２０】
ベース部分４は、開口部１９（図３に示されている）を画定する第２の端部１８をさらに含む。開口部１９は、側壁部構造体６および底部部分２０によって形成されたコンテナ２の内部空洞２１へのアクセスを可能にするように構成されている。
【００２１】
コンテナ２は、蓋部５を含むことが可能である。蓋部５は、開構成と閉構成との間で枢動可能である。いくつかの実施形態では、閉構成から開構成へ蓋部を回転させることは、閉構成から約９０°、または、閉構成から約１８０°、または、閉構成から約２７０°、蓋部を回転させることを含む。図１に示されているように、開口部１９は、コンテナが使用中であるときに（たとえば、コンテナが閉構成になっているときに）、蓋部５によってカバーされ得る。いくつかの配置では、蓋部５は、圧入を使用して、閉構成において、ベース４に接続することが可能である。追加的に、または代替的に、他の固定システムまたはデバイスが、本明細書でより完全に議論されることとなるように、蓋部５をベース４に固定するために使用され得る。
【００２２】
いくつかの例では、蓋部５は、それが（除去可能にまたは恒久的にのいずれかで）ヒンジ３７においてベース４に接続されるようにヒンジ接続され得り、ヒンジ３７の周りに回転させられ得る。ヒンジ３７は、連続的なピアノ・ヒンジ、ダブル・ヒンジ、ボール・ジョイント・ヒンジ、およびリビング・ヒンジなどを含む、さまざまなタイプのヒンジのうちの１つであることが可能である。これらのおよびさまざまな他のヒンジ配置は、本明細書でさらに完全に議論され得る。ヒンジ３７は、蓋部５がベース部分４から離れるように開けられおよび回転させられることを許容し、ベース部分４によって画定された空洞へのアクセス（たとえば、開口部１９を介して）を可能にすることができる。すなわち、ヒンジ３７は、コンテナの閉構成（たとえば、図１Ａに示されているように、蓋部が、ベース４によって形成された空洞２１をカバーする場所にあるとき）から開構成（たとえば、図１Ｂに示されているように、蓋部が、ベース４によって形成された空洞２１をカバーしていないとき）への蓋部５の回転を促進させることが可能であり、また、その逆も同様である。
【００２３】
加えて、いくつかの配置では、コンテナ２は、ガスケット３０または他のシーリング・デバイスを含むことが可能である。ガスケット３０は、蓋部５またはベース４にいずれかの中に配置され得り、蓋部５が閉構成になっているときに、蓋部５およびベース４をシールすることを支援することが可能である。たとえば、１つの実施形態では、コンテナ２は、８時間にわたってテストされたときに、それが防塵性であるように、および／または、水深１メートルにおいて、３０分にわたってテストされたときに、耐水性であるように製造され得る。いくつかの実施形態では、コンテナ２は、（国際電気標準会議に記述されているような）ＩＰ６７レーティングを実現することができる可能性があり、ＩＰ６７レーティングは、８時間にわたってテストされたときに、ダストの侵入が存在しないこと、または、ダストからの完全な保護が存在することを特定しており、ならびに、圧力および時間の定義された条件の下でエンクロージャーが水の中に浸漬されているときに（最大で１ｍの水没）、有害な量での水の侵入が可能でないということを特定している。ＩＰ６７ダスト・テストは、８時間の長さにわたり、エンクロージャーが、真空でテストされる。ＩＰ６７水テストは、３０分の長さにわたり、エンクロージャーは、エンクロージャーの最低点が水の表面から１０００ｍｍ下方にある状態、または、最高点が表面から１５０ｍｍから下方にある状態のうちのいずれか深い方でテストされる。
【００２４】
いくつかの例では（および、図１０Ａ〜図１１Ｃに最良に示されているように）、ガスケット３０は、ベース４および蓋部５のうちの少なくとも１つの中に形成された凹部３２の中に着座され得り、ベース４または蓋部５のうちの少なくとも１つの周囲部の周りに延在している。追加的に、いくつかの例では、コンテナ２は、ベース４または蓋部５の反対側にリッジ部３４を含むことが可能であり、リッジ部３４は、ベース４または蓋部５の周囲部の周りに延在している。ガスケット３０が、凹部３２とリッジ部３４との間に設置され得る。ガスケット３０は、コンテナ２の内部と外側の環境との間にシールを維持することを支援することが可能であり、いくつかの例では、コンテナ２の中に含有されている物品の温度を維持することを支援することが可能である。１つの例示的なガスケット配置が、図１０Ａ〜図１１Ｃに示されているが、このおよびさまざまな他のガスケット配置も、本明細書で説明されているコンテナのいずれかとともに使用され得る。
【００２５】
示されているように、ガスケット３０は、蓋部５の中の凹部またはチャネル３２の中に配置されている。代替的に、ガスケット３０は、ベース４の中に形成された凹部またはチャネルの中に配置され得る。蓋部５が閉構成になっているときには、凹部３２に対応する形状を有するリッジ部３４が、ガスケット３０に接触し、ガスケット３０を圧縮し、蓋部５およびベース４を閉構成にシールすることを支援することが可能である。いくつかの例では、ガスケット３０は、実質的に円形の断面を有する従来のガスケットであることが可能である。他の配置では、ガスケット３０は、戦略的に設置されたカットアウトを含むことが可能であり、カットアウトは、ベント（たとえば、蓋部ロックを防止するためのベント）の必要性を低減させるかまたは排除することが可能である。
【００２６】
いくつかの配置では、コンテナ２は、１つまたは複数のハンドル４０などのような追加的な特徴を含むことが可能である。ハンドルは、示されているように、側部１２および１４などのような対向する側部を含む、側壁部構造体６の１つまたは複数の部分の上に配置され得る。図４Ａ〜図４Ｄに最良に示されているように、ハンドル４０は、グリッピング部材４６によって接続されている第１および第２のアーム４２、４４から構築され得る。ハンドル４０は、ヒンジ４３の周りに枢動可能であり得り、ヒンジ４３は、側壁部構造体６の一部分を通過し、また、第１および第２のアーム４２、４４のそれぞれを通過している。また、ハンドル４０は、ハンドルが使用されていないときのハンドルの移動（および、それに関連付けられるガタガタと鳴る騒音の可能性）を低減させるための特徴を含むことが可能である。図４Ａ〜図４Ｄに示されているように、アーム４２、４４のうちの一方または両方は、アームの遠位端部において、隆起部分４８を含むことが可能である。いくつかの実施形態では、隆起部分４８は、弾性部材５０に取り付けられ得る。図４Ａおよび図４Ｄに最良に示されているように、コンテナ２は、凹んだ部分５２を含むことが可能である。隆起部分４８は、ハンドル４０が使用されていないときに、側壁部構造体６の凹んだ部分５２の中に位置付けされるように構成され得る。これは、ハンドルが使用されていないときのハンドル４０の移動を低減させることが可能である。しかし、ユーザーが使用のためにハンドル４０を移動させるときには、弾性部材５０は、後退することが可能であり、ユーザーがハンドルを外向きに回転させることを可能にすることができる。
【００２７】
他の例では、図１４〜図１６Ｂに示されているように、および、より詳細に下記に議論されることとなるように、ハンドル２４０は、ベース部分２０４と一体的に成形され得り、いくつかの例では、一般的に、ベース２０４の側壁部構造体の中に形成されたアンダーカットであることが可能である。いくつかの例では、ハンドルを形成するアンダーカットは、側壁部構造体６の実質的にすべてまたは大部分に沿って延在する凹部を含むことが可能である。これは、一体的に成形されたハンドル２４０を備えたベース２０４の製造のしやすさを提供することが可能である。いくつかの例では、一体的に成形されたハンドル２４０は、破損のリスクを低減させるために、ベース２０４の外部表面と同一平面になっていることが可能である。
【００２８】
いくつかの配置では、コンテナ２は、また、１つまたは複数のラッチ・アッセンブリ１００を含むことが可能である。ラッチ・アッセンブリ１００は、ロック位置およびアンロック位置を有することが可能であり、蓋部５が閉構成になっているときに、蓋部５をロックするように構成され得る。ラッチ・アッセンブリ１００は、コンテナ２と一体的に形成されているかまたはその他の方法で取り付けられている１つまたは複数の部分を含むことが可能である。図５Ｂおよび図９に示されているように、コンテナ２は、ラッチ・キーパー７０を含むことが可能である。ラッチ・キーパー７０は、側壁部構造体６から延在することが可能であり、コンテナ２の中にポケットを形成することが可能である。ラッチ・キーパー７０ポケットは、より詳細に下記に議論されることとなるようなロッキング部材１３０の一部分を受け入れるように構成された形状を有している。ラッチ・キーパーは、上側表面７２、内側表面７４、および下側表面７６を有することが可能である。より詳細に下記に議論されることとなるように、ラッチ・アッセンブリ１００は、ラッチ・キーパー７０に係合することが可能であり、コンテナ２が閉構成になっているときに、蓋部５をベース４にロックする。
【００２９】
また、コンテナ２は、コンテナ２の強度および／または機能性を改善するために、さまざまな特徴を含むことが可能である。たとえば、コンテナは、さまざまな隆起部分を含むことが可能であり、ベース４および／または蓋部５の特定の部分は、ベース４および／または蓋部の他のパーツよりも遠くへ外向きに延在している。図１Ａ、図１Ｂ、図２Ａ、および図２Ｂに最良に示されているように、ベース４は、チャネル６０を形成するＪ字形状の隆起部分または壁部５９を含むことが可能であり、隆起した壁部５９は、側壁部構造体６と係合されている。チャネル６０は、コンテナ２の周囲部全体を取り囲むことが可能である。また、チャネル６０は、チャネルの中のさまざまな場所において、補強部材６２を含むことが可能である。Ｊ字形状の壁部５９によって形成されたチャネル６０は、コンテナ２またはベース４の強度を増加させることが可能である。いくつかの実施形態では、および、たとえば、図２Ｂに示されているように、Ｊ字形状の壁部５９は、側壁部構造体６の内部表面６Ａがコンテナ２の内部部分の全体を通して実質的に滑らかになるように、ベース４が構築されることを可能にすることができる。したがって、たとえば、側壁部構造体６の内部表面６Ａの実質的にすべてまたはすべては（第１の側部８、第１の側部の反対側の第２の側部１０、第３の側部１２のうちの１つまたはすべてを含む）、実質的に平坦であり、および／または、滑らかであることが可能である。
【００３０】
また、コンテナ２は、ラッチング・アッセンブリ１００およびハンドル４０をそれぞれ取り囲む隆起部分６４、６６を含むことが可能である。図４に示されているように、隆起部分６４、６６は、ベース４または蓋部５のうちの一方または両方の上に存在することが可能である。隆起部分６４、６６は、それぞれ、ラッチング・アッセンブリ１００およびハンドル４０の高さに等しいかまたはそれよりも大きく隆起していることが可能であり、そのラッチング・アッセンブリ１００および／またはハンドル４０が、コンテナ２の隆起部分６４、６６を越えて外向きに延在しないようになっている。これは、ラッチング・アッセンブリ１００および／またはハンドル４０を保護し、および使用の間のこれらのコンポーネントの破損を低減させることが可能である。
【００３１】
コンテナ２は、食料、飲料を含むアイテム、または、任意の他のアイテムを含有、貯蔵、運搬などするように構成され得る。追加的にまたは代替的に、コンテナ２は、本明細書で説明されている開示の範囲から逸脱することなく、固体状態もしくは気体状態の材料、または、それらの組み合わせを貯蔵するように構成され得る。
【００３２】
ベース４および蓋部５を含むコンテナ２は、１つまたは複数の金属、合金、ポリマー、セラミック、または繊維強化材料などのような、さまざまな材料から形成され得る。いくつかの例では、ベース４および蓋部５は、ポリエチレンなどのようなプラスチック材料から形成され得り、それは、ベース４部分および蓋部５部分の両方を形成するように成形される。いくつかの配置では、ベース４部分および蓋部５部分の外側シェルは、当業者によって理解されることとなるように、射出成形またはロト・モールディング／回転成形プロセスを使用して形成され得る（図示せず）。しかし、さまざまな他のタイプの成形、または、他の製造プロセス（たとえば、スタンピング、キャスティング、およびフォージングなど）が、本発明から逸脱することなく、コンテナ２を形成するために使用され得る。
【００３３】
本明細書のいくつかの配置では、ベース４および蓋部５は、断熱部分（図示せず）を取り囲むおよび囲む外部表面または外側シェルを含むことが可能であり、したがって、断熱コンテナを形成する。外側シェルは、典型的に、１つまたは複数の金属、合金、ポリマー、セラミック、または繊維強化材料などのような、さまざまな材料から形成され得る。いくつかの例では、外側シェルは、ポリエチレンなどのようなプラスチック材料から形成され得り、それは、ベース４部分および蓋部５部分の両方を形成するように成形される。いくつかの例では、断熱部分（図示せず）は、低熱伝導率を示す断熱材料から形成され得る。たとえば、断熱部分は、ポリウレタン・フォームなどのようなポリマー・フォームから形成され得る（または、それを充填され得る）。追加的なまたは他の断熱材料が、本発明から逸脱することなく使用され得り、それは、たとえば、真空断熱式パネルを含む。いくつかの配置では、ベース４部分および蓋部５部分の外側シェルは、当業者によって理解されることとなることとなるように、射出成形またはロト・モールディング／回転成形プロセスを使用して形成され得る（図示せず）。しかし、さまざまな他のタイプの成形、または、他の製造プロセス（たとえば、スタンピング、キャスティング、およびフォージングなど）が、本発明から逸脱することなく、コンテナを形成するために使用され得る。
【００３４】
ここで、より具体的にラッチ・アッセンブリ１００を参照すると、図８および図９に最良に示されているように、ラッチ・アッセンブリ１００は、ラッチ本体部１０２、ロッキング部材１３０、付勢部材１５０、および活性化部材１７０を含む、複数のコンポーネントを含むことが可能である。上記に議論されているように、ラッチ・アッセンブリ１００は、ロック位置およびアンロック位置を含むことが可能である。
【００３５】
ラッチ本体部１０２は、蓋部５と枢動可能に係合され得る。図９に示されているように、ラッチ本体部は、ヒンジ１０６を使用して蓋部５と枢動可能に係合され得るが、しかし、任意の適切な枢動係合が使用され得る。いくつかの実施形態では、ヒンジ１０６は、コンテナ２と除去可能に係合され得る。このヒンジ１０６は、ラッチ・アッセンブリ１００が損傷を受けた場合に、ユーザーがラッチ・アッセンブリ１００を容易に除去および交換することを可能にすることができる。ラッチ本体部１０２は、内側表面１０８および外側表面１１０を含むことが可能である。外側表面は、湾曲していることが可能であり、一般的に、コンテナ２の側壁部構造体６の湾曲に従うことが可能である。上記に議論されているように、ラッチ本体部１０２の外側表面１１０は、いくつかの例では、コンテナ２の側壁部構造体６の外側縁部の外向きに延在しなくてもよい。また、内側表面１０８は、湾曲していることが可能であり、また、複数の異なる特徴を含むことが可能である。ラッチ本体部１０２の上に含まれ得る１つの例示的な特徴は、１つまたは複数の係合ラグ１１２であることが可能である。より詳細に下記に議論されることとなるように、係合ラグ１１２は、コンテナ・ベース４またはラッチ・キーパー７０に係合することが可能であり、また、コンテナ２のベース４に対抗して蓋部５を圧縮することを支援することが可能である。
【００３６】
また、ラッチ本体部１０２は、ロッキング部材１３０と係合され得る。図８に示されているように、ロッキング部材１３０は、ラッチ本体部１０２とスライド可能に係合され得り、ロッキング部材１３０が、上方位置と下方位置との間で実質的に線形の経路で移動することができるようになっている。ロッキング部材１３０は、ロッキング部材１３０が下方位置にあるときには、蓋部５を閉構成にロックし、ロッキング部材１３０が上方位置にあるときには、蓋部５をアンロックするように構成され得る。
【００３７】
主に図８示されているように、ロッキング部材１３０は、１つまたは複数のガイド部材１３２と移動可能に係合され得り、ロッキング部材１３０がガイド部材１３２を上下にスライドさせることができるようになっている。１つの実施形態では、ロッキング部材１３０は、ロッキング部材１３０を通過するアパーチャー１３４を含むことが可能であり、また、ガイド部材１３２は、アパーチャー１３４を通過することが可能である。ガイド部材１３２は、上部端部１３６において、および、底部端部１３８において、ラッチ本体部１０２と係合され得る。図８に示されているように、ガイド部材１３２は、円筒形状のロッドであるが、ロッキング部材１３０の上向きおよび下向きの移動を許容する任意の適切な形状も使用され得る。たとえば、ガイド部材１３２は、形状が角柱状または実質的に角柱状（たとえば、五角柱、六角柱、または七角柱など）であることが可能である。さらなる他の例では、ラッチング・アッセンブリ１００は、ロッキング部材１３０とラッチ本体部１０２との間の概して線形の移動を可能にするのに適切な他のデバイス（たとえば、レールを含む）を含むことが可能である。
【００３８】
図８に示されているように、ラッチ・アッセンブリ１００は、また、少なくとも１つの付勢部材１５０を含むことが可能であり、少なくとも１つの付勢部材１５０は、ラッチ本体部１０２およびロッキング部材１３０と係合されている。より詳細に下記に議論されることとなるように、付勢部材１５０は、ロッキング部材１３０を下方位置に付勢するように構成されている。付勢部材１５０は、図８に示されているような圧縮スプリングであることが可能であるが、代替的な実施形態では、ロッキング部材１３０を下方位置に付勢するための任意の適切なデバイスであることが可能である。
【００３９】
ロッキング部材１３０は、ベース部分１４０およびフック部分１４２を含むことが可能であり、フック部分１４２は、ベース部分１４０から内向きに延在している。フック部分１４２は、下側表面１４４および内向きに面する表面１４６を含むことが可能である。図９に示されているように、ラッチ・アッセンブリ１００がロック位置にあるときには、ロッキング部材１３０のフック部分１４２の下側表面１４４は、ラッチ・キーパー７０の上側表面７２に係合することが可能であり、フック部分１４２の内向きに面する表面１４６は、ラッチ・キーパー７０の内側表面７４に係合することが可能である。追加的に、ラッチ・アッセンブリ１００がロック位置にあるときには、係合ラグ１１２の上側表面は、ラッチ・キーパー７０の下側表面７６に係合することが可能である。
【００４０】
また、ラッチ本体部１０２は、活性化部材１７０と枢動可能に係合され得る。また、活性化部材１７０は、ロッキング部材１３０と係合され得り、ロッキング部材１３０を下方位置から上方位置へ移動させるように構成され得る。図８および図９に示されているように、活性化部材１７０はヒンジ１７２によってラッチ本体部１０２に枢動可能に係合され得り、ヒンジ１７２は、ラッチ本体部１０２および活性化部材１７０を通って延在している。活性化部材１７０は、グリップ部分１７４と、活性化バレル１７６と、グリップ部分１７４および活性化バレル１７６を接続する１つまたは複数のアーム１７８とを含むことが可能である。図９に示されているように、グリップ部分１７４は、コンテナ２の側壁部構造体６から所定の距離を置いて配置されている。この距離は、ユーザーが、彼らの指が側壁部構造体６とグリップ部分１７４との間に設置された状態で、グリップ部分１７４のバック表面１８０をグリップすることを可能にすることができる。図９に示されているように、活性化部材１７０の活性化バレル１７６は、ロッキング部材１３０に係合することが可能である。活性化バレル１７６は、隆起部分１８２を含むことが可能である。より詳細に下記に議論されることとなるように、ユーザーは、活性化部材１７０のグリップ部分１７４を前方に引っ張り、活性化バレル１７６の隆起部分１８２が回転してロッキング部材１３０を持ち上げることを引き起こすことが可能である。この移動は、ラッチ・アッセンブリ１００がアンロックすることを引き起こし、蓋部５が閉構成から開構成へ移動させられることを可能にする。
【００４１】
ここで図１０Ａ〜図１０Ｄを参照すると、ラッチ・アッセンブリ１００の実施形態をロック位置からアンロック位置へ移動させるための手順が、ラッチ・アッセンブリ１００、ならびに、ベース４および蓋部５の部分の側断面図によって示されている。図１０Ａは、ロック位置にあるラッチ・アッセンブリ１００を示しており、図１０Ｂは、アンロックしているラッチ・アッセンブリ１００を示しており、図１０Ｃは、アンロック位置にあるラッチ・アッセンブリ１００を示しており、図１０Ｄは、アンロック位置にあるラッチ・アッセンブリ１００を示しており、回転防止特徴を実証している。図１０Ａに示されているように、ロック位置において、フック部分１４２の下側表面１４４は、ラッチ・キーパー７０の上側表面７２と係合されており、フック部分１４２の内向きに面する表面１４６は、ラッチ・キーパー７０の内側表面７４と係合されており、係合ラグ１１２は、ラッチ・キーパー７０の下側表面７６と係合されている。
【００４２】
図１０Ｂに示されているように、ラッチング・アッセンブリ１００は、矢印１９０によって示されているように活性化部材１７０を回転させることによって、アンロック位置へ移動させられ得る。この回転は、ユーザーがバック表面１８０を前方に引っ張ることによって達成され得る。図１０Ｂに示されているように、活性化バレル１７６が回転するにつれて、隆起部分１８２が、ロッキング部材１３０に係合し、ロッキング部材１３０を上昇させる。図１０Ｃに示されているように、ラッチング・アッセンブリ１００は、アンロック位置になっている。ロッキング部材１３０がラッチ・キーパー７０の上方に上昇すると、ラッチ・アッセンブリ１００はされアンロックされ、ラッチ本体部１０２（ロッキング部材１３０および活性化部材１７０を含む）は、矢印１９４によって示されているように、前方に回転することが可能である。
【００４３】
図１０Ｄは、ラッチ・アッセンブリ１００の回転防止特徴およびコンテナ２を示している。図１０Ｄに示されているように、ラッチ・アッセンブリ１００は、アンロック位置にあり、図１０Ｃに示されている位置からさらに外向きに回転させられている。ラッチ・アッセンブリ１００の回転を制限するために、ラッチ本体部１０２は、バック表面１８７を含むことが可能であり、バック表面１８７は、ユーザーがラッチ・アッセンブリ１００をロック位置から離れるように特定の回転だけ回転させると、蓋部の回転防止表面７に係合するように構成されている。たとえば、ユーザーが、ロック位置から少なくとも２０度、または、ロック位置から少なくとも３０度、または、ロック位置から少なくとも４５度、または、ロック位置から少なくとも９０度、ラッチ・アッセンブリ１００を回転させたときに、バック表面１８７は、回転防止表面７に係合するように構成され得る。有利には、この回転防止特徴は、また、コンテナ２を開けるためのハンドルとしてユーザーがラッチ・アッセンブリ１００を利用することを可能にすることができる。
【００４４】
ここで図１１Ａ〜図１１Ｃを参照すると、ラッチ・アッセンブリ１００をアンロック位置からロック位置へ移動させるための手順が、ラッチ・アッセンブリ１００、ならびに、ベース４および蓋部５の部分の側断面図によって示されている。図１１Ａは、アンロック位置にあるラッチ・アッセンブリ１００を示しており、図１１Ｂは、ロッキングしているラッチ・アッセンブリ１００を示しており、図１１Ｃは、ロック位置にあるラッチ・アッセンブリ１００を示している。
【００４５】
図１１Ａに示されているように、および、矢印１９６によって示されているように、１つの実施形態では、ユーザーは、ラッチ本体部１０２を押圧することによって、ラッチング・アッセンブリ１００をロック位置に戻すことが可能である。図１１Ｂに示されているように、ラッチ本体部１０２が内向きに押圧されると、ロッキング部材１３０は、ラッチ・キーパー７０に接触することが可能であり、ラッチ・キーパー７０は、ロッキング部材１３０が矢印１９８によって示されているように上向きに上昇することを引き起こすことが可能である。他の例では、ラッチ本体部１０２を内向きに押すことに加えて、ユーザーは、また、活性化部材１７０を外向きに引っ張り、ラッチ・アッセンブリ１００をロック位置に移動させなければならない。そのような実施形態では、ラッチ・アッセンブリ１００は、有利には、ロッキング部材１３０が活性化部材１７０によって上方位置に移動させられるときにのみ、アンロック位置からロック位置へ移動させられ得る。これは、コンテナ２を事故的にロックする可能性を低減させることが可能である。
【００４６】
図１１Ｃに示されているように、フック部分１４２が、ラッチ・キーパー７０の隆起部分の後ろに移動させられると、付勢部材１５０は、ロッキング部材１３０を下向き方向に押すことが可能である。図１１Ｃに示されているように、ラッチ・アッセンブリ１００は、ロック位置にあり、フック部分１４２の下側表面１４４は、ラッチ・キーパー７０の上側表面７２と係合されており、フック部分１４２の内向きに面する表面１４６は、ラッチ・キーパー７０の内側表面７４と係合されており、係合ラグ１１２は、ラッチ・キーパー７０の下側表面７６と係合されている。閉位置にあるときに、ラッチング・アッセンブリ１００は、蓋部５がコンテナ２のベース４に当接するように位置決めされており、したがって、コンテナ２を閉じ、固定し、および／またはシールしている。追加的に、ラッチ・アッセンブリがアンロック位置（図１１Ａ）からロック位置（図１１Ｃ）へ移動させられると、ガスケット３０が、コンテナ２の蓋部５とベース４との間で圧縮される。したがって、ラッチ・アッセンブリ１００がロック位置にあるときには、ガスケット３０は、ラッチ・アッセンブリ１００がアンロック位置にあるときよりも多く圧縮されている。
【００４７】
図１２Ａ〜図１２Ｃは、ラッチ・アッセンブリ１００の実施形態をロック位置からアンロック位置へ移動させることに関して、図１０Ａ〜図１０Ｃに示されているものと同様の手順を示しており、図１３Ａ〜図１３Ｃは、ラッチ・アッセンブリ１００の実施形態をロック位置からアンロック位置へ移動させることに関して、図１１Ａ〜図１１Ｃに示されているものと同様の手順を示している。いくつかの実施形態では、たとえば図１０Ａ〜図１１Ｃに示されているように、活性化部材１７０は、それがユーザーによって外向きに回転させられた後に、図１０Ａに示されているような下方位置に自動的に戻ることが可能である。しかし、他の実施形態では、活性化部材１７０は、ユーザーによって内向きに手動で押された場合にのみ、下方位置へ移動することが可能である。追加的に、いくつかの実施形態では、活性化部材は、活性化部材が下方位置にあるときのラッチ本体部１０２よりもさらに外向きに延在することが可能である。
【００４８】
ラッチ・アッセンブリ１００（ラッチ本体部１０２、ロッキング部材１３０、および活性化部材１７０を含む）は、それぞれ別々に形成され得り、また、プラスチック材料などのような材料、または、所望の形状へと形成もしくは成形され得る別の適切な材料から形成され得る。ラッチ・アッセンブリ１００は、ラッチが長期間にわたってラッチ・キーパー７０と係合／解除されるときに、繰り返される応力のサイクルに耐えるのに十分な構築体のサイズ、厚さ、および材料から作製され得る。本明細書で説明されているコンテナは、耐久性および耐摩耗性を提供しながら、コンテナの容易なおよび効率的な製造を保証するさまざまな特徴を含む。
【００４９】
図１４〜図１６Ｂは、ラッチ・アッセンブリ１００を有する別の例示的なコンテナ２０２を示しており、同様の参照番号は、コンテナ２の中の同じまたは同様のエレメントを表しているが、２００番台の参照番号を含む。コンテナ２０２は、コンテナ２と実質的に同様であり、したがって、コンテナ２０２の同様の態様は、本明細書では再び議論されてはいない。しかし、コンテナ２０２は、コンテナ２からのいくつかの相違点を含むことが可能である。たとえば、コンテナ２０２は、ハンドル２４０を含み、ハンドル２４０は、ベース４の側壁部構造体の中にベース部分２０４と一体的に成形され得る。図１４〜図１６Ｂに示されているように、一体的に成形されたハンドル２４０は、Ｊ字形状の壁部２５９から形成され得り、および／または、Ｊ字形状の壁部２５９の一部分を含むことが可能である。したがって、一体的に成形されたハンドル２４０は、コンテナ２０２の周囲部の周りに延在するチャネル２６０の一部分を含むことが可能である。
【００５０】
図１７Ａ〜図２６Ｄは、下記に議論されているラッチ・アッセンブリ４００を有する別の例示的なコンテナ３０２を示しており、同様の参照番号は、コンテナ２および２０２の中の同じまたは同様のエレメントを表しているが、３００番台の参照番号を含む。コンテナ３０２は、コンテナ２および２０２と実質的に同様であり、したがって、コンテナ３０２の同様の態様は、本明細書では再び議論されてはいない。しかし、コンテナ３０２は、コンテナ２および２０２からのいくつかの相違点を含むことが可能である。たとえば、コンテナ３０２は、ハンドル３４０を含み、ハンドル３４０は、ベース３０４の側壁部構造体３０６のそれぞれの側部３０８、３１０、３１２、３１４の上のベース部分３０４と一体的に成形され得る。加えて、コンテナ３０２は、コンテナ３０２に接続し得るさまざまなアクセサリーを位置付けおよび支持するための複数の取り付けポイントを含むことが可能である。これらの取り付けポイントは、より詳細に下記に説明されることとなる。
【００５１】
図１９Ａおよび図１９Ｂとともに、図１７Ｂに示されているように、ベース３０４は、ラッチ・キーパー３７０を含むことが可能である。ラッチ・キーパー３７０は、側壁部構造体３０６から延在することが可能であり、ベース３０４の中にポケットを形成することが可能である。ラッチ・キーパー３７０は、より詳細に下記に議論されることとなるように、ロッキング部材４３０の一部分を受け入れるように構成された形状を有することが可能である。ラッチ・キーパー３７０は、上側表面３７２、内側表面３７４、リブ３７５、および下側表面３７６を有することが可能である。リブ３７５は、側壁部構造体３０６からラッチ・キーパー３７０の下側表面３７６へ延在することが可能である。随意的に、リブ３７５は、また、ラッチ・キーパー３７０の上側表面３７２および下側表面３７６または内側表面３７４に接続することが可能である。リブ３７５は、ラッチ・キーパー３７０に沿って実質的に中央に位置付けされ得る。リブ３７５は、構造的支持をラッチ・キーパー３７０に追加し、耐久性を改善することが可能である。別のオプションとして、ラッチ・キーパー３７０は、複数のリブ３７５を含むことが可能であり、複数のリブ３７５は、ラッチ・キーパー３７０によって形成されたポケットのいずれかの側部に位置決めされ、追加的な支持をラッチ・キーパー３７０に提供することが可能である。より詳細に下記に議論されることとなるように、ラッチ・アッセンブリ４００は、ラッチ・キーパー３７０に係合し、コンテナ３０２が閉構成になっているときに、蓋部３０５をベース３０４にロックすることが可能である。
【００５２】
加えて、ベース３０４は、ラッチ・キーパー３７０のいずれかの側部に位置決めされている複数のランプ付きのまたはテーパー付きの表面３７１を含むことが可能である。ランプ付きの表面３７１は、ベース３０４のインターフェース表面３３６から下向きに角度が付いていることが可能であり、ここで、インターフェース表面３３６は、実質的に平坦になっていることが可能であり、また、ベース３０４の周囲部の少なくとも３つの側部の周りに延在することが可能である。ベース３０４のインターフェース表面３３６は、コンテナ３０２が閉位置にあるときには、蓋部３０５のインターフェース表面３３５に接触することが可能である。ランプ付きの表面３７１は、おおよそ４５度、または、３０度から６０度の範囲内で、または、２０度から８０度の範囲内で、インターフェース表面３３６から下向きに角度が付いていることが可能である。ランプ付きの表面３７１は、コンテナ３０２を閉じるときに、ラッチ・アッセンブリ４００がベース３０４の上に嵌まり込んで動きが取れなくなることを防止することが可能であり、また、蓋部３０５が閉じられるときに、ラッチ・アッセンブリ４００の下側部分に接触し、蓋部３０５が図２１に示されているように閉じられるときに、ベースの通り道の外へラッチ・アッセンブリ４００を押し出すことが可能である。
【００５３】
ベース３０４は、複数の係合部材３３７をさらに含み、複数の係合部材３３７は、ベース３０４のインターフェース表面３３６から延在している。係合部材３３７は、リッジ部３３４の外向きに位置決めされ得る。係合部材３３７は、蓋部３０５の上の凹部またはキャビティー３３９の中へ延在することが可能である。係合部材３３７と凹部３３９との間の相互作用は、コンテナ３０２が閉位置にあるときに、および、複数のコンテナが積み重ねられているか、または、追加的なアイテムがコンテナ３０２の上に設置されているときに、追加的な構造的支持を提供し、蓋部３０５とベース３０４との間のジョイントを強くすることが可能である。ベース３０４は、任意の数の係合部材３３７を有することが可能である。たとえば、例示的な実施形態は、４つの係合部材３３７を図示しているが、ベース３０４は、２つの係合部材、３つの係合部材、５つの係合部材、またはそれ以上の係合部材を含むことも可能である。蓋部３０５の上の凹部３３９の数は、係合部材３３７の数に等しくなっていることが可能であり、ベース３０４のそれぞれの係合部材３３７に対応する場所において、蓋部３０５の上に位置付けされ得る。係合部材３３７は、例示的な実施形態では、実質的に正方形の断面形状を有しているが、円形、三角形、または他の多角形のような、任意の断面形状を有することが可能である。それぞれの係合部材３３７は、係合部材３３７の幅よりも小さいかまたはそれに等しい高さを有することが可能である。追加的に、例示的な実施形態の係合部材３３７および凹部３３９は、コンテナ３０２の第１の側部３０８の上に位置付けされているが、係合部材３３７および凹部３３９は、任意の側部の上にあることが可能であり、また、それらが複数の側部の上に位置決めされている実施形態を有することが可能である。
【００５４】
別の特徴として、ベース３０４は、複数のタブ３２１を有することが可能であり、複数のタブ３２１は、ベース３０４の側壁部構造体３０６の内部表面３０６Ａに沿って位置決めされている。たとえば、図１７Ｂおよび図１９Ａに示されているように、タブ３２１Ａは、側壁部構造体３０６の角部のそれぞれの中に位置決めされ得る。加えて、タブ３２１Ｂおよび３２１Ｃは、第１の側部３０８および第２の側部３１０の内部表面に沿って位置決めされ得る。タブ３２１Ｂおよび３２１Ｃは、図１９Ａに図示されているように、互いに反対側に位置付けされ得り、それらが第１の側部３０８の長さに沿って整合されるようになっている。図１９Ａの例示的な実施形態に示されているように、内部部分は、８つのタブ３２１を含むことが可能であり、タブ３２１Ａは、角部のそれぞれの中に位置付けされており、タブ３２１Ｂおよび３２１Ｃは、側壁部３０８、３１０の内部表面に沿って位置付けされている。タブ３２１Ｂおよび３２１Ｃは、概して中央に位置付けされ得り、少なくとも１つのタブ３２１Ｂ、３２１Ｃが、コンテナ３０２の中心線の近くに設置されるようになっているが、好ましくは、中心線のいずれかの側部に位置付けされるようになっている。別のオプションとして、複数のタブ３２１は、反対側の内部表面の上のタブ３２１と整合されているのではなく、互い違いの配置を有することが可能である。タブ３２１は、さらに下記に議論されているように、さまざまなアクセサリーのための取り付け場所を提供することが可能である。
【００５５】
それぞれのタブ３２１は、側壁部構造体３０６の内部表面３０６Ａから延在することが可能であり、また、上側サポート表面３２３と、上側サポート表面３２３を通って延在している開口部３２４と、タブ３２１のいずれかの端部の上に１対の側部表面とを含む。それぞれのタブの上側サポート表面３２３は、さらに下記に議論されているようなトレイ５００など、コンテナ３０２の内部の中にさまざまなアクセサリーを支持するための係合表面を提供することが可能である。複数のタブ３２１の上側サポート表面３２３は、互いに実質的に同一平面上にあり、サポート表面３２３がアクセサリーを保持することを可能にすることができ、アクセサリーは、ベース３０４を横切って延在し、複数のタブ３２１によって支持され得る。タブ３２１の上側サポート表面３２３は、ベース部分の内部部分の高さの５０パーセントを超える高さにおいて、内部表面３０６Ａの上側領域の中に位置決めされ得る。別のオプションとして、タブ３２１の上側サポート表面３２３は、ベース部分の内部部分の高さの６０パーセントを超える高さに位置決めされ得り、または、さらには、ベース部分の内部部分の高さの７０パーセントを超える高さに位置決めされ得る。内部スペースへの影響を最小化するために、それぞれのタブ３２１は、ロー・プロファイルを有することが可能であり、それぞれのタブ３２１が、内部表面から１インチ未満の距離、または、０．５インチ未満の距離、または、さらには、０．２５インチ未満の距離に延在することができるようになっている。追加的に、開口部３２４は、任意の形状を有することが可能であるが、好ましくは、形状が細長くなっていることが可能である。開口部３２４は、ストラップまたは他の取り付け手段のための取り付けポイントを提供し、異なるアクセサリーをさらに支持することが可能である。
【００５６】
別のオプションとして、１対のトラック３２６が、側壁部構造体３０６の内部表面３０６Ａのうちの少なくとも２つに沿って位置決めされ得る。例示的な実施形態に示されているように、１対のトラックは、第１および第２の側部３０８、３１０の内部表面のそれぞれの上に位置決めされ得る。１対のトラック３２６のそれぞれは、中央に位置付けされ得り、それらが、対向する内部表面の上の１対のトラック３２６と整合されるようになっている。トラック３２６のそれぞれは、ベース３０４の内部表面から延在することが可能であり、内部部分の高さの大部分に沿って延在する高さを有することが可能である。内部スペースへの影響を最小化するために、それぞれのトラック３２６は、ロー・プロファイルを有することが可能であり、それぞれのトラック３２６が、内部表面３０６Ａから１インチ未満の距離、または、０．５インチ未満の距離、または、さらには、０．２５インチ未満の距離に延在することができるようになっている。トラック３２６の対は、除去可能な仕切り壁５１０（それは、まな板としての役割を果たすことも可能である）を支持し、コンテナの内部を２つの部分へと分離し、貯蔵されているアイテムをより良好に組織することが可能である。トラック３２６のそれぞれは、複数のディテントまたは突出部を有しており、仕切り壁５１０をしっかりと保持し、仕切り壁５１０が移動することを防止し、任意の振動を制限することが可能である。
【００５７】
上記に議論されている例示的なコンテナ３０２と同様に、図１７〜図２６Ｄの実施形態は、一体的に成形されたハンドル３４０を有することが可能であり、一体的に成形されたハンドル３４０は、側壁部３０８、３１０、３１２、３１４のそれぞれに沿って位置決めされている。一体的に成形されたハンドル３４０のそれぞれは、Ｊ字形状の壁部３５９から形成され得り、および／または、Ｊ字形状の壁部３５９の一部分を含むことが可能である。したがって、一体的に成形されたハンドル３４０は、コンテナ３０２の周囲部の周りに延在するチャネル３６０の一部分を含むことが可能である。したがって、例示的なコンテナ３０２は、４つのハンドル３４０を含むことが可能である。ハンドル３４０は、ベース部分３０４と一体的に成形され得る。いくつかの例では、それぞれのハンドル３４０は、アンダーカットによって形成され得り、側壁部構造体３０６の実質的にすべてまたは大部分に沿って延在する凹部を含むことが可能である。この一体的に成形されたハンドル３４０は、ベース３０４のための製造プロセスを簡単化することが可能である。いくつかの例では、一体的に成形されたハンドルは、破損のリスクを低減させるために、ベース３０４の外部表面と同一平面になっていることが可能である。
【００５８】
図２２Ａから図２２Ｃに示されているように、それぞれのハンドル３４０は、湾曲した内部プロファイル３４５を有しており、ユーザーにとって人間工学的で快適なグリッピング表面を提供することが可能である。ハンドルの内部プロファイル３４５は、複数のハンドル・リブ３４７を含むことが可能であり、複数のハンドル・リブ３４７は、側壁部からハンドル３４０の内部表面へ延在しており、ここで、それぞれのハンドル・リブ３４７は、湾曲したプロファイルを有することが可能であり、互いに間隔を離して配置されている複数のリブ３４７が、ハンドル３４０の湾曲した内部プロファイル３４５を形成するようになっている。それぞれのリブ３４７は、リブ３４７同士の間に間隔を有することが可能であり、その間隔は、それぞれのリブ３４７の幅よりも小さくなっている。代替的に、それぞれのリブ３４７は、リブ３４７同士の間に間隔を有することが可能であり、その間隔は、それぞれの３４７の幅に等しいかまたはそれよりも大きくなっている。
【００５９】
それぞれのハンドル３４０は、ハンドル３４０のハンドル上部表面３４３を通って延在する開口部３４１を有することが可能であり、ここで、それぞれの開口部３４１は、蓋部３０５の開口部３４９と整合することが可能である。したがって、ハンドルの開口部３４１と蓋部３０５の開口部３４９とが整合された状態は、ストラップまたは同様のデバイスが開口部３４１、３４９を通過するための場所が、コンテナ３０２をアンカー固定するかまたは縛り付けることを可能にする。それぞれの開口部３４１、３４９は、細長い形状を有することが可能であり、すべて実質的に同じ長さおよび幅を有することが可能である。したがって、これらの開口部３４１、３４９は、単にコンテナ３０２をアンカー固定することを超えた他の動作に関して、ユーザーに汎用性を提供することが可能である。コンテナ３０２をアンカー固定または固定することをさらに補助するために、蓋部３０５は、凹部またはチャネル３５１を有することが可能であり、凹部またはチャネル３５１は、開口部３４９と整合し、コンテナ３０２を縛り付けるストラップのためのガイド表面を提供している。別のオプションとして、クリップ５２０が、開口部３４１を通して挿入され、フックおよびループタイプ接続を使用するための追加的な場所を提供し、図２３Ａおよび図２３Ｂに示されているように、追加的なアクセサリーを保持するために、オプションのさらなる汎用性を追加することが可能である。
【００６０】
コンテナ３０２の蓋部３０５は、複数のクリップ３１５をさらに含むことが可能であり、複数のクリップ３１５は、蓋部３０５の内部表面３０９に沿って位置決めされている。たとえば、図２４Ａに示されているように、クリップ３１５Ａは、内部表面３２５のそれぞれの上に中央に位置付けされ得り、一方、１対のクリップ３１５Ｂおよび３１５Ｃは、内部表面３２７、３２９のそれぞれに沿って均一に間隔を置いて配置され得る。また、クリップ３１５のそれぞれは、蓋部３０５の下側内部表面３３１の上に延在しているか、または、それに接触していることが可能である。クリップ３１５Ｂおよび３１５Ｃは、互いに反対側に位置付けされるように整合され得る。図１７Ｂおよび図２４Ａの例示的な実施形態に示されているように、蓋部３０５は、６つのクリップ３１５を含むことが可能であるが、蓋部３０５は、任意の数のクリップ３１５を含むことが可能である。別のオプションとして、複数のクリップ３１５は、側壁部の内部表面の上に互いに反対側に位置付けされていなくてもよく、互い違いの配置を有することが可能である。クリップ３１５は、カーゴ・ネットもしくはバンジー・コード・ネット５１５、または、ユーザーによって望まれる任意のさらなるアイテムを固定するための追加的なヒッチ・ポイントを含むストラップ５１６などのような、さまざまなアクセサリーのための取り付け場所を提供することが可能である。
【００６１】
それぞれのクリップ３１５は、蓋部３０５の内部表面から延在することが可能であり、また、係合部材３１７と、係合部材３１７を通って延在する開口部３１９とを含むことが可能である。開口部３１９は、形状が細長くなっていることが可能であり、または、代替的に、任意の形状を有することが可能である。加えて、クリップ３１５の開口部３１９は、タブ３２１の開口部３２４と同様の幅を有することが可能である。これらの開口部３１９は、ストラップまたは他の取り付け手段のための取り付けポイントを提供し、図２６Ｂ〜図２６Ｄに示されているように、異なるアクセサリーをさらに支持することが可能である。
【００６２】
蓋部５に関して上記に議論されているように、蓋部３０５は、凹部３３２を含むことが可能であり、凹部３３２は、ガスケット３３０を着座させることが可能であり、凹部３３２は、蓋部３０５の周囲部の周りに延在している。凹部３３２は、蓋部３０５のインターフェース表面３３５の中に位置決めされ得る。凹部３３２は、複数のリテイニング部材３３３を含むことが可能であり、複数のリテイニング部材３３３は、図２４Ｂに示されているように、凹部３３２の側部から延在している。リテイニング部材３３３は、凹部３３２の周囲部の周りの複数の場所において、ガスケット３３０に係合しており、凹部３３２の中にガスケット３３０を固定することが可能である。それぞれのリテイニング部材３３３は、少なくとも１つのテーパー付きの表面を含むことが可能であり、リテイニング部材３３３が、リテイニング部材の上部の近くにおいて、リテイニング部材３３３の中央部分の厚さよりも凹部３３２の開放端部に近い厚さを有するようになっている。追加的に、いくつかの例示的な実施形態では、コンテナ３０２は、ベース３０４の周囲部の周りに延在する蓋部３０５の凹部３３２の反対側に、ベース３０４の中にリッジ部３３４を含むことが可能である。リッジ部３３４は、ベース３０４のインターフェース表面３３６の上に位置決めされ得る。ガスケット３３０は、蓋部３０５がベース３０４に係合しているときに、凹部３３２とリッジ部３３４との間に設置され得る。
【００６３】
いくつかの実施形態では、底部部分３２０は、また、および／または、代替的に、１つまたは複数の足部３２２を含むことが可能であり、１つまたは複数の足部３２２は、テーブル、地面、または車両ベッドなどのような、表面１の上にコンテナ３０２を支持することが可能である。足部３２２は、ゴムまたはエラストマーのような滑り止め材料とは別々に形成され得り、形成された後に、ベース３０４に取り付けられ得る。足部３２２は、「ロー・プロファイル」と考慮される高さを有することが可能であり、「ロー・プロファイル」は、コンテナ３０２が、図２５に示されているように、コンテナ３０２を支持する表面１に対して１５度よりも大きい角度で傾けられているときに、コンテナ３０４がその縁部のうちの１つに沿ってスライドさせられることを可能にする。代替的に、足部３２２は、ベース３０４と一体的に形成され得る。
【００６４】
図２０Ａから図２１は、例示的なラッチ・アッセンブリ４００を示しており、同様の参照番号は、ラッチ・アッセンブリ１００の中の同じまたは同様のエレメントを表しているが、４００番台の参照番号を含む。ラッチ・アッセンブリ４００は、ラッチ・アッセンブリ１００と実質的に同様であり、したがって、ラッチ・アッセンブリ１００の同様の態様は、明細書では再び議論されてはいない。ラッチ・アッセンブリ４００は、図２０Ａに示されているように、ラッチ本体部４０２、ロッキング部材４３０、付勢部材４５０、および活性化部材４７０を含む、複数のコンポーネントを含むことが可能である。上記に議論されているラッチ・アッセンブリ１００と同様に、ラッチ・アッセンブリ４００は、ロック位置およびアンロック位置を含むことが可能である。
【００６５】
ロッキング部材４３０は、ベース部分４４０および複数のフック部分４４２を含むことが可能であり、複数のフック部分４４２は、ベース部分４４０から内向きに延在している。複数のフック部分４４２は、互いからギャップ４４１だけ間隔を離して配置され得る。それぞれのフック部分４４２は、下側表面４４４および内向きに面する表面４４６をそれぞれ含むことが可能である。図２０Ｂに示されているように、ラッチ・アッセンブリ４００がロック位置にあるときに、それぞれのフック部分４４２の下側表面４４４は、ラッチ・キーパー３７０の上側表面３７２に係合することが可能であり、それぞれのフック部分４４２の内向きに面する表面４４６は、ラッチ・キーパー３７０の内側表面３７４に係合することが可能である。さらに、ラッチ・キーパー３７０のリブ３７５は、図２０Ｃに示されているように、フック部分４４２のそれぞれの間のギャップ４４１の中にフィットされ得る。追加的に、ラッチ・アッセンブリ４００がロック位置にあるときには、係合ラグ４１２の上側表面は、ラッチ・キーパー３７０の下側表面３７６に係合することが可能である。
【００６６】
ラッチ本体部４０２は、内側表面４０８の上側部分からロッキング部材４３０に向けて内側表面４０８に沿って複数のリブ４１３を含むことが可能である。リブ４１３は、輪郭を持った高さをそれぞれ有することが可能であり、それぞれのリブ４１３は、リブがロッキング部材４３０に向けて延在するにつれて、下側領域においてよりも上側領域において、より低い高さを有するようになっている。リブ４１３は、ラッチ・アッセンブリ４００の全体的な重量を低減させながら、ラッチ本体部４０２を強くすることを助ける。
【００６７】
ラッチ・アッセンブリ１００と同様に、ラッチ本体部４０２は、また、活性化部材４７０と枢動可能に係合され得る。また、活性化部材４７０は、ロッキング部材４３０と係合され得り、ロッキング部材４３０を下方位置から上方位置へ移動させるように構成され得る。活性化部材４７０は、ヒンジ４７２によって、ラッチ本体部４０２に枢動可能に係合され得り、ヒンジ４７２は、ラッチ本体部４０２および活性化部材４７０を通って延在している。活性化部材４７０は、グリップ部分４７４と、活性化バレル４７６と、グリップ部分４７４および活性化バレル４７６を接続する１つまたは複数のアーム４７８とを含むことが可能であり、ここで、活性化バレル４７６は、隆起部分４８２を含むことが可能である。隆起部分４８２および活性化バレル４７６は、実質的に平坦な接触表面４８３に沿って一緒に接合され得る。活性化バレル４７６を十分に支持するために、その領域の中のラッチ本体部４０２の内部表面４０８は、接触表面４８３に実質的に平行であり、接触表面４８３を支持することが可能であり、したがって、活性化バレル４７６を支持することを補助し、活性化部材４７０がラッチ本体部４０２の外側表面４１０を越えて後向きに回転しないように維持する。別のオプションとして、グリップ部分４７４は、リッジ部４７５を含むことが可能であり、リッジ部４７５は、グリップ部分４７４の長さの少なくとも一部分に延在し、スリップすることなしにグリップ部分４７４をグリップする際にユーザーをさらに補助する。
【００６８】
上記に議論されているように、ランプ付きの表面３７１は、ラッチ・アッセンブリがベース３０４の上に嵌まり込んで動きが取れなくなることがないように保護するように作用するとともに、ラッチ・キーパー３７０に適正に係合するようにラッチ・アッセンブリを位置決めすることを助けるように作用する。
【００６９】
図２６Ａ〜図２６Ｄは、上記に説明されているようなコンテナ３０２を図示しており、それは、さまざまなアクセサリーとともに構成されている。たとえば、図２６Ａは、貯蔵システムの実施形態を図示しており、貯蔵システムは、据え付けられたコンテナ３０２およびトレイ５００を含み、ここで、トレイ５００は、複数のタブ３２１によって支持されており、また、貯蔵システムは、１対のトラック３２６の間に据え付けられた仕切り壁５１０を含む。図２６Ｂは、カーゴ・ネット５１５が蓋部３０５のクリップ３１５に取り付けられた状態の、図２６Ａに示されているシステムを図示している。貯蔵システムのさらに別の実施形態が、図２６Ｃに図示されており、そこでは、コンテナ３０２は、１対のユーティリティー・ストラップ５１６とともに、タブ３２１によって支持されている２つのトレイ５００を含み、１対のユーティリティー・ストラップ５１６は、蓋部３０５のクリップ３１５に接続されており、ユーザーが任意の所望のアイテムをコンテナ３０２の中に取り付けて整頓するための複数の場所を提供する。図２６Ｄは、別のオプションを図示しており、そこでは、柔らかい側面の貯蔵バッグ５１８が、複数のジッパー付きの貯蔵コンパートメントを含む。上記に議論されているように、複数の取り付けポイントをベースおよび蓋部の中に提供することによって、コンテナ３０２は、貯蔵システムを提供するために、アクセサリーのさまざまなオプションを装備し、整頓された貯蔵解決策をユーザーに提供することが可能である。
【００７０】
図２７Ａ〜図２７Ｃは、トレイ５００のさらなる詳細を図示している。トレイ５００は、複数の貯蔵キャビティー５０４とともに装着表面５０３を備えた本体部５０２を有することが可能である。貯蔵キャビティー５０４は、任意のサイズを有することが可能であり、任意の数のキャビティー５０４を有するように構成され得る。たとえば、図２７Ａ〜図２７Ｃに示されている例示的な実施形態は、３つのキャビティーを含み、ここで、キャビティーのうちの２つは、第３のキャビティーよりも小さくなっている。トレイ５００の別の特徴として、トレイ５００は、移動可能なハンドル５０５を含むことが可能である。ハンドル５０５は、図２７Ｂに示されている拡張位置から、図２７Ｃに示されている収縮位置または貯蔵位置へ、垂直方向に移動することが可能である。拡張位置では、ユーザーは、コンテナ３０２から外へトレイ５００を容易に持ち上げることが可能であり、一方、収縮位置では、トレイ５００は、より低い高さプロファイルまたは貯蔵を有している。ハンドル５０５は、２つの端部５０６を備えたＵ字形状のチューブ状構造体を有することが可能であり、２つの端部５０６は、トレイの本体部５０２の中の開口部５０７の中へ係合している。チューブ状構造体のそれぞれの端部５０６は、開口部５０７の中への据え付けを可能にするテーパー付きの表面５０８を有することが可能であり、また、リテイニング表面５０９を有することが可能であり、ハンドルが除去されないように維持し、ハンドル５０５の垂直方向の移動を限定するポジティブ・ストップを提供する。
【００７１】
１つの態様によれば、コンテナが開示されている。コンテナは、成形されたベースを含むことが可能であり、成形されたベースは、側壁部構造体であって、側壁部構造体は、第１の側部と、第１の側部の反対側の第２の側部と、第１の側部の縁部と第２の側部の縁部との間に延在する第３の側部と、第３の側部の反対側の第４の側部とを有しており、側壁部構造体は、第１の端部および第２の端部を有している、側壁部構造体と；側壁部構造体の第１の端部に接続されている底部部分であって、底部部分は、表面の上にコンテナを支持するように構成されている、底部部分と；第１の端部の反対側に、側壁部構造体の第２の端部に形成された開口部であって、開口部は、側壁部構造体および底部部分によって形成されたコンテナの内部空洞へのアクセスを可能にするように構成されている、開口部とを含む。また、コンテナは、側壁部構造体から延在するラッチ・キーパーであって、ラッチ・キーパーは、上側表面、内側表面、および下側表面を有している、ラッチ・キーパーと；蓋部であって、蓋部は、開構成と閉構成との間で枢動可能であり、蓋部は、ベースの形状に対応する形状を有しており、コンテナが閉構成にあるときに、側壁部構造体の第２の端部に形成された開口部をカバーするように構成されている、蓋部と；蓋部をベースに接続するように構成されているヒンジであって、ヒンジの周りで、蓋部は、閉構成から開構成へ回転可能である、ヒンジとを含むことが可能である。また、コンテナは、ラッチ・アッセンブリを含むことが可能であり、ラッチ・アッセンブリは、ロック位置およびアンロック位置を有しており、ラッチ・アッセンブリは、蓋部と枢動可能に係合されているラッチ本体部であって、ラッチ本体部は、少なくとも１つの係合ラグを有している、ラッチ本体部と；ラッチ本体部とスライド可能に係合されているロッキング部材であって、ロッキング部材は、少なくとも下方位置と上方位置との間でスライド可能であり、ロッキング部材は、ロッキング部材が下方位置にあるときには、蓋部を閉構成にロックするように構成されており、ロッキング部材が上方位置にあるときには、蓋部をアンロックするように構成されている、ロッキング部材と；ラッチ本体部およびロッキング部材と係合されている付勢部材であって、付勢部材は、ロッキング部材を下方位置に付勢する、付勢部材と；活性化部材であって、活性化部材は、ラッチ本体部と枢動可能に係合されており、また、ロッキング部材と係合されており、活性化部材は、下方位置から上方位置へロッキング部材を移動させるように構成されている、活性化部材とを含む。ラッチ・アッセンブリは、ロッキング部材が上方位置にあるときにのみ、アンロック位置からロック位置へ移動させられ得る。ラッチ本体部の少なくとも１つの係合ラグは、ラッチ・アッセンブリがロック位置にあるときに、ラッチ・キーパーの下側表面に係合することが可能である。ロッキング部材の下側表面は、ラッチ・アッセンブリがロック位置にあるときに、ラッチ・キーパーの上側表面に係合している。
【００７２】
蓋部を閉構成から開構成へ回転させることは、蓋部を閉構成から９０°回転させることを含むことが可能である。コンテナは、側壁部構造体の中に断熱材を含有することが可能である。コンテナは、第２のラッチ・アッセンブリを含むことが可能である。コンテナは、ガスケットを含むことが可能であり、ガスケットは、ベースおよび蓋部のうちの少なくとも１つの中に形成された凹部の中に配置されている。コンテナは、ベースの外部表面と一体的に成形されたチャネルを含むことが可能である。チャネルは、ベースの外部周囲部全体の周りに延在することが可能である。また、コンテナは、少なくとも１つのハンドルを含むことが可能である。ハンドルは、第１のアームおよび第２のアームを含むことが可能であり、第１のアームおよび第２のアームのそれぞれは、アームの遠位端部に隆起部分を含むことが可能である。
【００７３】
別の態様によれば、コンテナが開示されている。コンテナは、ベースを含むことが可能であり、ベースは、側壁部構造体であって、側壁部構造体は、少なくとも、第１の側部と、第１の側部の反対側の第２の側部とを有しており、側壁部構造体は、第１の端部および第２の端部を有している、側壁部構造体と；側壁部構造体の第１の端部に接続されている底部部分であって、底部部分は、表面の上にコンテナを支持するように構成されている、底部部分と；第１の端部の反対側に、側壁部構造体の第２の端部に形成された開口部であって、開口部は、側壁部構造体および底部部分によって形成されたコンテナの内部空洞へのアクセスを可能にするように構成されている、開口部と；側壁部構造体から延在するラッチ・キーパーであって、ラッチ・キーパーは、上側表面、内側表面、および下側表面を有している、ラッチ・キーパーとを含む。また、コンテナは、蓋部であって、蓋部は、開構成と閉構成との間で枢動可能であり、蓋部は、ベースの形状に対応する形状を有しており、コンテナが閉構成にあるときに、側壁部構造体の第２の端部に形成された開口部をカバーするように構成されている、蓋部と；蓋部をベースに接続するように構成されているヒンジであって、ヒンジの周りで、蓋部は、閉構成から開構成へ回転可能である、ヒンジと；ラッチ・アッセンブリであって、ラッチ・アッセンブリは、ロック位置およびアンロック位置を有している、ラッチ・アッセンブリとを含むことが可能である。ラッチ・アッセンブリは、蓋部と枢動可能に係合されているラッチ本体部であって、ラッチ本体部は、少なくとも１つの係合ラグを有している、ラッチ本体部と；ラッチ本体部と係合されているロッキング部材であって、ロッキング部材は、少なくとも下方位置と上方位置との間で移動可能であり、ロッキング部材は、ロッキング部材が下方位置にあるときには、蓋部を閉構成にロックするように構成されており、ロッキング部材が上方位置にあるときには、蓋部をアンロックするように構成されている、ロッキング部材と；ラッチ本体部およびロッキング部材と係合されている付勢部材であって、付勢部材は、ロッキング部材を下方位置に付勢する、付勢部材と；活性化部材であって、活性化部材は、ラッチ本体部と枢動可能に係合されており、また、ロッキング部材と係合されており、活性化部材は、下方位置から上方位置へロッキング部材を移動させるように構成されている、活性化部材とを含むことが可能である。
【００７４】
ロッキング部材は、ラッチ本体部とスライド可能に係合され得り、ロッキング部材は、下方位置と上方位置との間でスライド可能である。ラッチ・アッセンブリは、ロッキング部材が上方位置にあるときにのみ、アンロック位置からロック位置へ移動させられ得る。ラッチ本体部の少なくとも１つの係合ラグは、ラッチ・アッセンブリがロック位置にあるときに、ラッチ・キーパーの下側表面に係合している。ロッキング部材の下側表面は、ラッチ・アッセンブリがロック位置にあるときに、ラッチ・キーパーの上側表面に係合することが可能である。また、コンテナは、は、ガスケットを含むことが可能であり、ガスケットは、ベースおよび蓋部のうちの少なくとも１つの中に形成された凹部の中に配置されている。また、コンテナは、チャネルを含むことが可能であり、チャネルは、ベースの外部表面と一体的に成形されており、チャネルは、ベースの外部表面全体の周りに延在している。また、コンテナは、少なくとも１つのハンドルを含むことが可能であり、ハンドルは、第１のアームおよび第２のアームを有しており、第１のアームおよび第２のアームのそれぞれは、アームの遠位端部に隆起部分を含む。
【００７５】
別の態様によれば、構造体のためのラッチ・アッセンブリが開示されている。構造体は、開構成および閉構成を有することが可能であり、構造体は、第２の部分に対して移動可能な第１の部分と、第１の部分と係合されているラッチ・キーパーとを含む。ラッチ・アッセンブリは、ロック位置およびアンロック位置を有しており、ラッチ・アッセンブリは、第２の部分と枢動可能に係合されているラッチ本体部と；ラッチ本体部と係合されているロッキング部材であって、ロッキング部材は、少なくとも下方位置と上方位置との間で移動可能であり、ロッキング部材は、ロッキング部材が下方位置にあるときには、蓋部を閉構成にロックするように構成されており、ロッキング部材が上方位置にあるときには、蓋部をアンロックするように構成されている、ロッキング部材と；活性化部材であって、活性化部材は、ラッチ本体部と枢動可能に係合されており、また、ロッキング部材と係合されており、活性化部材は、下方位置から上方位置へロッキング部材を移動させるように構成されている、活性化部材とを含むことが可能である。
【００７６】
また、ラッチ・アッセンブリは、付勢部材を含むことが可能であり、付勢部材は、ラッチ本体部およびロッキング部材と係合されており、付勢部材は、ロッキング部材を下方位置に付勢する。ロッキング部材は、ラッチ本体部とスライド可能に係合され得り、ロッキング部材は、下方位置と上方位置との間でスライド可能である。ラッチ・アッセンブリは、ロッキング部材が上方位置にあるときにのみ、アンロック位置からロック位置へ移動させられ得る。
【００７７】
ラッチ本体部は、内側表面を含むことが可能であり、ラッチ・キーパーは、上側表面、内側表面、および下側表面を含むことが可能である。ラッチ本体部の少なくとも１つの係合ラグは、ラッチ・アッセンブリがロック位置にあるときに、ラッチ・キーパーの下側表面に係合することが可能であり、ロッキング部材の下側表面は、ラッチ・アッセンブリがロック位置にあるときに、ラッチ・キーパーの上側表面に係合することが可能である。
【００７８】
本開示は、さまざまな例を参照して、上記におよび添付の図面に開示されている。しかし、本開示によって果たされる目的は、本開示に関係するさまざまな特徴および概念の例を提供することであり、本発明の範囲を限定することではない。当業者は、本開示の範囲から逸脱することなく、上記に説明されている例に対して多数の変形例および修正例が作製され得るということを認識することとなる。
【図１Ａ】
2020523258.tif 000003
【図１Ｂ】
2020523258.tif 000004
【図２Ａ】
2020523258.tif 000005
【図２Ｂ】
2020523258.tif 000006
【図３】
2020523258.tif 000007
【図４Ａ】
2020523258.tif 000008
【図４Ｂ】
2020523258.tif 000009
【図４Ｃ】
2020523258.tif 000010
【図４Ｄ】
2020523258.tif 000011
【図５Ａ】
2020523258.tif 000012
【図５Ｂ】
2020523258.tif 000013
【図６Ａ】
2020523258.tif 000014
【図６Ｂ】
2020523258.tif 000015
【図７Ａ】
2020523258.tif 000016
【図７Ｂ】
2020523258.tif 000017
【図８】
2020523258.tif 000018
【図９】
2020523258.tif 000019
【図１０Ａ】
2020523258.tif 000020
【図１０Ｂ】
2020523258.tif 000021
【図１０Ｃ】
2020523258.tif 000022
【図１０Ｄ】
2020523258.tif 000023
【図１１Ａ】
2020523258.tif 000024
【図１１Ｂ】
2020523258.tif 000025
【図１１Ｃ】
2020523258.tif 000026
【図１２Ａ】
2020523258.tif 000027
【図１２Ｂ】
2020523258.tif 000028
【図１２Ｃ】
2020523258.tif 000029
【図１３Ａ】
2020523258.tif 000030
【図１３Ｂ】
2020523258.tif 000031
【図１３Ｃ】
2020523258.tif 000032
【図１４】
2020523258.tif 000033
【図１５】
2020523258.tif 000034
【図１６Ａ】
2020523258.tif 000035
【図１６Ｂ】
2020523258.tif 000036
【図１７Ａ】
2020523258.tif 000037
【図１７Ｂ】
2020523258.tif 000038
【図１８Ａ】
2020523258.tif 000039
【図１８Ｂ】
2020523258.tif 000040
【図１８Ｃ】
2020523258.tif 000041
【図１８Ｄ】
2020523258.tif 000042
【図１８Ｅ】
2020523258.tif 000043
【図１８Ｆ】
2020523258.tif 000044
【図１９Ａ】
2020523258.tif 000045
【図１９Ｂ】
2020523258.tif 000046
【図２０Ａ】
2020523258.tif 000047
【図２０Ｂ】
2020523258.tif 000048
【図２０Ｃ】
2020523258.tif 000049
【図２１】
2020523258.tif 000050
【図２２Ａ】
2020523258.tif 000051
【図２２Ｂ】
2020523258.tif 000052
【図２２Ｃ】
2020523258.tif 000053
【図２３Ａ】
2020523258.tif 000054
【図２３Ｂ】
2020523258.tif 000055
【図２４Ａ】
2020523258.tif 000056
【図２４Ｂ】
2020523258.tif 000057
【図２５】
2020523258.tif 000058
【図２６Ａ】
2020523258.tif 000059
【図２６Ｂ】
2020523258.tif 000060
【図２６Ｃ】
2020523258.tif 000061
【図２６Ｄ】
2020523258.tif 000062
【図２７Ａ】
2020523258.tif 000063
【図２７Ｂ】
2020523258.tif 000064
【図２７Ｃ】
2020523258.tif 000065
【国際調査報告】
2020523258.tif 000066
2020523258.tif 000067